(57)【要約】装置は、異なるトーンインデックスを示すシグナリングを基地局から受信しうる。装置はさらに、シングルトーンアップリンク送信中で複数のシンボルを送信しうる。ある態様では、複数のシンボル中のシンボルのグループは、受信されたシグナリングによって示されたシングルトーンアップリンク送信の異なるトーンインデックスを使用して送信される。第２の装置は、少なくとも１つのユーザ機器（ＵＥ）に、シングルトーンアップリンク送信中で複数のシンボルを送信するにあたって使用するための異なるトーンインデックスに関連付けられた情報をシグナリングしうる。第２の装置はさらに、シングルトーンアップリンク送信中で複数のシンボルを受信しうる。ある態様では、複数のシンボル中のシンボルのペアは、シングルトーンアップリンク送信の異なるトーンインデックス中で受信される。【選択図】図１
2018538766.tif 000002
【特許請求の範囲】
【請求項１】
ユーザ機器（ＵＥ）のワイヤレス通信の方法であって、
異なるトーンインデックスを示すシグナリングを基地局から受信することと、
シングルトーンアップリンク送信中で複数のシンボルを送信することと
を備え、前記複数のシンボル中のシンボルのグループは、前記受信されたシグナリングによって示された前記異なるトーンインデックスを使用して前記シングルトーンアップリンク送信中で送信される、
方法。
【請求項２】
前記異なるトーンインデックスの各トーンインデックスは、異なる周波数に関連付けられる、
請求項１に記載の方法。
【請求項３】
前記複数のシンボルは、データシンボルまたは基準信号（ＲＳ）シンボルのうちの少なくとも１つを備える、
請求項１に記載の方法。
【請求項４】
前記シングルトーンアップリンク送信中で前記複数のシンボルを前記送信することは、
第１のトーンインデックスを使用して第１のシンボルペアの第１のシンボルを送信することと、
前記第１のトーンインデックスとの固定周波数差である第２のトーンインデックスを使用して前記第１のシンボルペアの第２のシンボルを送信することと
を備える、請求項１に記載の方法。
【請求項５】
前記シングルトーンアップリンク送信中で前記複数のシンボルを前記送信することは、
前記第１のトーンインデックスを使用して第２のシンボルペアの第３のシンボルを送信することと、
前記第１のトーンインデックスとの前記固定周波数差である前記第２のトーンインデックスを使用して前記第２のシンボルペアの第４のシンボルを送信することと
をさらに備える、請求項４に記載の方法。
【請求項６】
前記シングルトーンアップリンク送信中で前記複数のシンボルを前記送信することは、
前記第２のトーンインデックスに対して非固定周波数差である第３のトーンインデックスを使用して第２のシンボルペアの第３のシンボルを送信することと、
前記第３のトーンインデックスとの固定周波数差である第４のトーンインデックスを使用して前記第２のシンボルペアの第４のシンボルを送信することと
をさらに備える、請求項４に記載の方法。
【請求項７】
前記受信されたシグナリングの前記異なるトーンインデックスは、周波数ホッピングパターンを示す、
請求項１に記載の方法。
【請求項８】
前記シングルトーンアップリンク送信中で前記複数のシンボルを前記送信することは、
前記異なるトーンインデックスを使用してサブフレーム中でデータシンボルの少なくとも１つのペアを送信することと、
前記異なるトーンインデックスを使用して前記サブフレーム中で基準信号（ＲＳ）シンボルの少なくとも１つのペアを送信することと
を備える、請求項１に記載の方法。
【請求項９】
前記シングルトーンアップリンク送信が物理アップリンク共有チャネル（ＰＵＳＣＨ）中で送信される場合、前記複数のシンボルは、第１の数の基準信号（ＲＳ）シンボルを含み、
前記シングルトーンアップリンク送信が確認応答（ＡＣＫ）を含む場合、前記複数のシンボルは、第２の数の基準信号（ＲＳ）シンボルを含み、
前記シングルトーンアップリンク送信がチャネル品質情報（ＣＱＩ）を含む場合、前記複数のシンボルは、第３の数の基準信号（ＲＳ）シンボルを含み、
前記第１の数のＲＳシンボル、第２の数のＲＳシンボル、および第３の数のＲＳシンボルは、同じであるか、または、
前記第１の数のＲＳシンボル、第２の数のＲＳシンボル、および第３の数のＲＳシンボルのうちの少なくとも１つは、異なる、
請求項１に記載の方法。
【請求項１０】
前記シングルトーンアップリンク送信が物理ランダムアクセスチャネル（ＰＲＡＣＨ）中で送信される場合、前記方法は、
トーン間隔を低減すること、または、
各サブフレーム中で前記複数のシンボルの数を低減すること
のうちの少なくとも１つをさらに備える、請求項１に記載の方法。
【請求項１１】
前記シングルトーンアップリンク送信中で前記複数のシンボルを送信するにあたって使用するためのフォーマットを示すシグナリングを基地局から受信することをさらに備え、
前記フォーマットは、サブフレーム持続時間、シンボル持続時間、または前記複数のシンボルに関連付けられたサイクリックプレフィックス（ＣＰ）長のうちの少なくとも１つを含む、
請求項１に記載の方法。
【請求項１２】
前記フォーマットは、ペイロードを伴わないプリアンブルベース、またはペイロードを伴うメッセージベースのいずれかである、
請求項１１に記載の方法。
【請求項１３】
前記シングルトーンアップリンク送信が物理ランダムアクセスチャネル（ＰＲＡＣＨ）中で送信される場合、前記方法は、
アップリンクパイロットタイムスロット（ＵｐＰＴＳ）中で前記シングルトーンアップリンク送信を送信すること、または、
前記ＵｐＰＴＳおよび少なくとも１つの後続のアップリンクサブフレーム中で前記シングルトーンアップリンク送信を送信すること
のうちの少なくとも１つをさらに備える、請求項１に記載の方法。
【請求項１４】
前記シングルトーンアップリンク送信のコーディングスキームは、テイルバイティング畳み込みコード（ＴＢＣＣ）またはデュアルリードマラーコードのうちの少なくとも１つに基づく、
請求項１に記載の方法。
【請求項１５】
基地局のワイヤレス通信の方法であって、
少なくとも１つのユーザ機器（ＵＥ）に、シングルトーンアップリンク送信中で複数のシンボルを送信するにあたって使用するための異なるトーンインデックスを示す情報をシグナリングすることと、
前記シングルトーンアップリンク送信中で前記複数のシンボルを受信することと
を備え、前記複数のシンボル中のシンボルのペアは、前記シングルトーンアップリンク送信の前記異なるトーンインデックス中において前記シングルトーンアップリンク送信中で受信される、
方法。
【請求項１６】
前記異なるトーンインデックスの各トーンインデックスは、異なる周波数に関連付けられる、
請求項１５に記載の方法。
【請求項１７】
前記複数のシンボルは、第１のユーザ機器（ＵＥ）からのシンボルの第１のセットと第２のＵＥからのシンボルの第２のセットとを備え、
前記複数のシンボルは、データシンボルまたは基準信号（ＲＳ）シンボルのうちの少なくとも１つを備える、
請求項１５に記載の方法。
【請求項１８】
前記シングルトーンアップリンク送信中で前記複数のシンボルを前記受信することは、
第１のトーンインデックス中で第１のシンボルペアの第１のシンボルを受信することと、
前記第１のトーンインデックスとの固定周波数差である第２のトーンインデックス中で前記第１のシンボルペアの第２のシンボルを受信することと
を備える、請求項１５に記載の方法。
【請求項１９】
前記シングルトーンアップリンク送信中で前記複数のシンボルを前記受信することは、
前記第１のトーンインデックス中で第２のシンボルペアの第３のシンボルを受信することと、
前記第１のトーンインデックスとの前記固定周波数差である前記第２のトーンインデックス中で前記第２のシンボルペアの第４のシンボルを受信することと
をさらに備える、請求項１８に記載の方法。
【請求項２０】
前記シングルトーンアップリンク送信中で前記複数のシンボルを前記受信することは、
前記第２のトーンインデックスに対して非固定周波数差である第３のトーンインデックス中で第２のシンボルペアの第３のシンボルを受信することと、
前記第３のトーンインデックスに対して固定周波数差である第４のトーンインデックス中で前記第２のシンボルペアの第４のシンボルを受信することと
をさらに備える、請求項１８に記載の方法。
【請求項２１】
前記異なるトーンインデックスに関連付けられた前記情報は、周波数ホッピングパターンを示す、
請求項１５に記載の方法。
【請求項２２】
前記シングルトーンアップリンク送信中で前記複数のシンボルを前記受信することは、
前記異なるトーンインデックス中においてサブフレーム中でデータシンボルの少なくとも１つのペアを受信することと、
前記異なるトーンインデックス中において前記サブフレーム中で基準信号（ＲＳ）シンボルの少なくとも１つのペアを受信することと
を備える、請求項１５に記載の方法。
【請求項２３】
前記シングルトーンアップリンク送信が物理アップリンク共有チャネル（ＰＵＳＣＨ）中で受信される場合、前記複数のシンボルは、第１の数の基準信号（ＲＳ）シンボルを含み、
前記シングルトーンアップリンク送信が確認応答（ＡＣＫ）を含む場合、前記複数のシンボルは、第２の数の基準信号（ＲＳ）シンボルを含み、
前記シングルトーンアップリンク送信がチャネル品質情報（ＣＱＩ）を含む場合、前記複数のシンボルは、第３の数の基準信号（ＲＳ）シンボルを含み、
前記第１の数のＲＳシンボル、第２の数のＲＳシンボル、および第３の数のＲＳシンボルは、同じであるか、または、
前記第１の数のＲＳシンボル、第２の数のＲＳシンボル、および第３の数のＲＳシンボルのうちの少なくとも１つは、異なる、
請求項１５に記載の方法。
【請求項２４】
前記シングルトーンアップリンク送信が物理ランダムアクセスチャネル（ＰＲＡＣＨ）中で受信される場合、前記シングルトーンアップリンク送信は、低減されたトーン間隔または各サブフレーム中の低減された数の前記複数のシンボルのうちの少なくとも１つを含む、
請求項１５に記載の方法。
【請求項２５】
シンボルの前記ペア間での位相差に基づいてタイミング推定値を決定することをさらに備える、
請求項１５に記載の方法。
【請求項２６】
前記シングルトーンアップリンク送信の巡回冗長検査（ＣＲＣ）がパスする前に、前記複数のシンボル中の基準信号（ＲＳ）シンボルの位相差に基づいて、前記少なくとも１つのＵＥに関連付けられたタイミングオフセットを決定すること、または、
前記データシンボルを再符号化および再変調することによって前記シングルトーンアップリンク送信の前記ＣＲＣがパスした後で、前記データシンボルと前記ＲＳシンボルとに基づいて、前記少なくとも１つのＵＥの前記タイミングオフセットを決定すること
をさらに備える、請求項１５に記載の方法。
【請求項２７】
前記少なくとも１つのＵＥに、前記シングルトーンアップリンク送信中で前記複数のシンボルを送信するにあたって使用するためのフォーマットに関連付けられた情報をシグナリングすることをさらに備え
前記フォーマットは、サブフレーム持続時間、シンボル持続時間、または前記複数のシンボルに関連付けられたサイクリックプレフィックス（ＣＰ）長のうちの少なくとも１つを含む、
請求項１５に記載の方法。
【請求項２８】
前記フォーマットは、ペイロードを伴わないプリアンブルベース、またはペイロードを伴うメッセージベースのいずれかである、請求項２７に記載の方法。
【請求項２９】
前記シングルトーンアップリンク送信が物理ランダムアクセスチャネル（ＰＲＡＣＨ）中で受信される場合、前記方法は、
アップリンクパイロットタイムスロット（ＵｐＰＴＳ）中で前記シングルトーンアップリンク送信を受信すること、または、
前記ＵｐＰＴＳおよび少なくとも１つの後続のアップリンクサブフレーム中で前記シングルトーンアップリンク送信を受信すること
のうちの少なくとも１つをさらに備える、請求項１５に記載の方法。
【請求項３０】
シングルトーンアップリンク送信のコーディングスキームは、テイルバイティング畳み込みコード（ＴＢＣＣ）またはデュアルリードマラーコードのうちの少なくとも１つに基づく、請求項１５に記載の方法。
【発明の詳細な説明】
【関連出願の相互参照】
【０００１】
[0001]本願は、２０１５年１１月５日に出願され、「NARROWBAND UPLINK SINGLE TONE TRANSMISSIONS」と題された米国仮特許出願第６２／２５１，６２６号と、２０１５年１１月６日に出願され、「NARROWBAND UPLINK SINGLE TONE TRANSMISSION」と題された米国仮特許出願第６２／２５２，３５８号との両方、および２０１６年９月１日に出願され、「SYSTEM AND METHOD FOR NARROWBAND UPLINK SINGLE TONE TRANSMISSIONS」と題された米国非仮特許出願第１５／２５５，０６９号の利益を主張し、それらの開示は、その全体がここに参照によって明確に組み込まれる。
【技術分野】
【０００２】
[0002]本開示は概して、通信システムに関し、より具体的には、狭帯域シングルトーンアップリンク送信に関する。
【背景技術】
【０００３】
[0003]ワイヤレス通信システムは、電話通信、映像、データ、メッセージング、およびブロードキャストのような様々な電気通信サービスを提供するために広く展開されている。典型的なワイヤレス通信システムは、利用可能なシステムリソースを共有することによって複数のユーザとの通信をサポートすることが可能な多元接続技術を用いうる。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]これらの多元接続技術は、異なるワイヤレスデバイスが、都市、国家、地域、さらには地球規模で通信することを可能にする共通プロトコルを提供するために、様々な電気通信規格において採用されてきた。実例的な電気通信規格は、ロングタームエボリューション（ＬＴＥ（登録商標））である。ＬＴＥは、第３世代パートナーシッププロジェクト（３ＧＰＰ（登録商標））によって公表されたユニバーサルモバイル電気通信システム（ＵＭＴＳ）のモバイル規格の拡張セットである。ＬＴＥは、改善されたスペクトル効率と、下げられたコストと、ダウンリンク上ではＯＦＤＭＡを、アップリンク上ではＳＣ−ＦＤＭＡを、そして多入力多出力（ＭＩＭＯ）アンテナ技術を使用する改善されたサービスとを通じてモバイルブロードバンドアクセスをサポートするように設計されている。しかしながら、モバイルブロードバンドアクセスに対する需要が増大し続けるにつれて、ＬＴＥ技術におけるさらなる改善の必要性が存在する。これらの改善はまた、他の多元接続技術およびこれらの技術を用いる電気通信規格に適用可能でありうる。
【発明の概要】
【０００５】
[0005]以下は、１つまたは複数の態様の基本的な理解を提供するために、そのような態様の簡略化された概要を提示する。この概要は、全ての企図された態様の広範な概観ではなく、全ての態様の基幹的要素または重要な要素を識別することも、任意の態様または全ての態様の範囲を叙述することも意図されない。その唯一の目的は、後に提示されるより詳細な説明への前置きとして、簡略化された形式で１つまたは複数の態様のいくつかの概念を提示することである。
【０００６】
[0006]単一のリソースブロック（ＲＢ）帯域幅は、狭帯域ロングタームエボリューション（ＮＢ−ＬＴＥ）通信において使用するために企図されてきた。しかしながら、いくつかのネットワーク構造を使用するアップリンクデータ送信において使用するための単一のＲＢ帯域幅は、アップリンクユーザデータ送信の多重化について制限された寸法を有しうる。この特性は、シングルトーンアップリンク送信について特に当てはまりうる。このことから、本開示は、ＮＢ−ＬＴＥを使用するシングルトーンアップリンク送信を可能にするために、周波数ホッピングスキームを提供することによってこの特性に対処することを提供する。
【０００７】
[0007]ワイヤレス通信のための方法、装置、およびコンピュータ可読媒体が提供される。装置は、異なるトーンインデックスを示すシグナリングを基地局から受信しうる。装置はさらに、シングルトーンアップリンク送信中で複数のシンボルを送信しうる。ある態様では、複数のシンボル中のシンボルのグループは、受信されたシグナリングによって示されたシングルトーンアップリンク送信の異なるトーンインデックスを使用して送信される。
【０００８】
[0008]ワイヤレス通信のための第２の方法、第２の装置、および第２のコンピュータ可読媒体もまた提供される。第２の装置は、少なくとも１つのユーザ機器（ＵＥ）に、シングルトーンアップリンク送信中で複数のシンボルを送信するにあたって使用するための異なるトーンインデックスに関連付けられた情報をシグナリングしうる。第２の装置はさらに、シングルトーンアップリンク送信中で複数のシンボルを受信しうる。ある態様では、複数のシンボル中のシンボルのペアは、シングルトーンアップリンク送信の異なるトーンインデックス中で受信される。
【０００９】
[0009]前述の目的および関連する目的の達成のために、１つまたは複数の態様は、以下において十分に説明され、特許請求の範囲中で特に指摘される特徴を備える。以下の説明および付属の図面は、１つまたは複数の態様のある特定の例示的な特徴を詳細に記載する。これらの特徴は、しかしながら、様々な態様の原理が用いられうる様々な方法のうちのほんの一部を示しているに過ぎず、この説明は、全てのそのような態様およびそれらの同等物を含むことを意図される。
【図面の簡単な説明】
【００１０】
【図１】ワイヤレス通信システムおよびアクセスネットワークの例を例示する図である。
【図２Ａ】ＤＬフレーム構造のＬＴＥ例を例示する図である。
【図２Ｂ】ＤＬフレーム構造内のＤＬチャネルのＬＴＥ例を例示する図である。
【図２Ｃ】ＵＬフレーム構造のＬＴＥ例を例示する図である。
【図２Ｄ】ＵＬフレーム構造内のＵＬチャネルのＬＴＥ例を例示する図である。
【図３】アクセスネットワーク中の発展型ノードＢ（ｅＮＢ）とユーザ機器（ＵＥ）との例を例示する図である。
【図４】ワイヤレス通信システムの態様の図である。
【図５】ワイヤレス通信システム中のシンボルの態様の図である。
【図６】ワイヤレス通信システム中のシンボルの態様の図である。
【図７】ワイヤレス通信システム中のシンボルの態様の図である。
【図８】ワイヤレス通信システム中で使用されるフォーマットの態様の図である。
【図９】ワイヤレス通信システム中で使用されるフォーマットの態様の図である。
【図１０】ワイヤレス通信システム中のタイミング推定正確性の図である。
【図１１】ワイヤレス通信の方法の第１のフローチャートである。
【図１２】ワイヤレス通信の方法の第２のフローチャートである。
【図１３】例証的な装置中の異なる手段／コンポーネント間でのデータフローを例示する概念的なデータフロー図である。
【図１４】処理システムを用いる装置のためのハードウェアインプリメンテーションの例を例示する図である。
【図１５】例証的な装置中の異なる手段／コンポーネント間でのデータフローを例示する概念的なデータフロー図である。
【図１６】処理システムを用いる装置のためのハードウェアインプリメンテーションの例を例示する図である。
【詳細な説明】
【００１１】
[0026]添付された図面に関連して以下に記載される詳細な説明は、様々な構成の説明として意図され、ここに説明される概念が実施されうる唯一の構成を表すことを意図されてはいない。詳細な説明は、様々な概念の完全な理解を提供することを目的とした特定の詳細を含む。しかしながら、これらの概念がこれらの特定の詳細なしに実施されうることは当業者にとって明らかであろう。いくつかの事例では、よく知られている構造およびコンポーネントは、そのような概念を曖昧にすることを避けるためにブロック図形式で示される。
【００１２】
[0027]ここで、電気通信システムのいくつかの態様が、様々な装置および方法を参照して提示されることになる。これらの装置および方法は、以下の詳細な説明中で説明され、様々なブロック、コンポーネント、回路、プロセス、アルゴリズム、等（一括して「要素」と呼ばれる）によって添付の図面中で例示されることになる。これらの要素は、電子ハードウェア、コンピュータソフトウェア、またはそれらの任意の組み合わせを使用してインプリメントされうる。そのような要素がハードウェアとしてインプリメントされるか、またはソフトウェアとしてインプリメントされるかは、特定のアプリケーションとシステム全体上に課せられる設計制約とに依存する。
【００１３】
[0028]例として、要素、または要素の任意の一部分、あるいは要素の任意の組み合わせは、１つまたは複数のプロセッサを含む「処理システム」としてインプリメントされうる。プロセッサの例は、マイクロプロセッサ、マイクロコントローラ、グラフィックス処理ユニット（ＧＰＵ）、中央処理ユニット（ＣＰＵ）、アプリケーションプロセッサ、デジタルシグナルプロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブルロジックデバイス（ＰＬＤ）、ステートマシン、ゲートロジック、ディスクリートハードウェア回路、およびこの開示全体を通じて説明される様々な機能を遂行するように構成された他の適したハードウェアを含む。処理システム中の１つまたは複数のプロセッサは、ソフトウェアを実行しうる。ソフトウェアは、ソフトウェアと呼ばれるか、ファームウェアと呼ばれるか、ミドルウェアと呼ばれるか、マイクロコードと呼ばれるか、ハードウェア記述言語と呼ばれるか、またはその他の名称で呼ばれるかにかかわらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数、等を意味するように広く解釈されるべきである。
【００１４】
[0029]それ故に、１つまたは複数の実例的な態様では、説明される機能は、ハードウェア、ソフトウェア、またはそれらの任意の組み合わせにおいてインプリメントされうる。ソフトウェアにおいてインプリメントされる場合、機能は、コンピュータ可読媒体上で１つまたは複数の命令あるいはコードとして記憶もしくは符号化されうる。コンピュータ可読媒体は、コンピュータ記憶媒体を含む。記憶媒体は、コンピュータによってアクセスされることができる任意の利用可能な媒体でありうる。限定ではなく例として、そのようなコンピュータ可読媒体は、ランダムアクセスメモリ（ＲＡＭ）、読取専用メモリ（ＲＯＭ）、電気的消去可能プログラマブルＲＯＭ（ＥＥＰＲＯＭ（登録商標））、光ディスク記憶装置、磁気ディスク記憶装置、他の磁気記憶デバイス、前述されたタイプのコンピュータ可読媒体の組み合わせ、またはコンピュータによってアクセスされることができるデータ構造あるいは命令の形式でコンピュータ実行可能コードを記憶するために使用されることができる任意の他の媒体を備えることができる。
【００１５】
[0030]図１は、ワイヤレス通信システムおよびアクセスネットワーク１００の例を例示する図である。（ワイヤレスワイドエリアネットワーク（ＷＷＡＮ）とも呼ばれる）ワイヤレス通信システムは、基地局１０２、ＵＥ１０４、および発展型パケットコア（ＥＰＣ）１６０を含む。基地局１０２は、マクロセル（高電力セルラ基地局）および／またはスモールセル（低電力セルラ基地局）を含みうる。マクロセルは、ｅＮＢを含む。スモールセルは、フェムトセル、ピコセル、およびマイクロセルを含む。
【００１６】
[0031]（一括して発展型ユニバーサルモバイル電気通信システム（ＵＭＴＳ）地上無線アクセスネットワーク（Ｅ−ＵＴＲＡＮ）と呼ばれる）基地局１０２は、バックホールリンク１３２（例えば、Ｓ１インターフェース）を通じてＥＰＣ１６０とインターフェースする。他の機能に加えて、基地局１０２は、以下の機能：ユーザデータの転送、無線チャネル暗号化および暗号解読、完全性保護、ヘッダ圧縮、モビリティ制御機能（例えば、ハンドオーバ、デュアルコネクティビティ）、セル間干渉協調、接続セットアップおよび解放、負荷バランシング、非アクセス層（ＮＡＳ）メッセージについての分配、ＮＡＳノード選択、同期、無線アクセスネットワーク（ＲＡＮ）共有、マルチメディアブロードキャストマルチキャストサービス（ＭＢＭＳ）、加入者および機器トレース、ＲＡＮ情報管理（ＲＩＭ）、ページング、測位、および警告メッセージの配信のうちの１つまたは複数を遂行しうる。基地局１０２は、バックホールリンク１３４（例えば、Ｘ２インターフェース）を通して互いと直接的にまたは（例えば、ＥＰＣ１６０を通じて）間接的に通信しうる。バックホールリンク１３４は、ワイヤードまたはワイヤレスでありうる。
【００１７】
[0032]基地局１０２は、ＵＥ１０４とワイヤレスで通信しうる。基地局１０２の各々は、それぞれの地理的カバレッジエリア１１０に対して通信カバレッジを提供しうる。重複している地理的カバレッジエリア１１０が存在しうる。例えば、スモールセル１０２’は、１つまたは複数のマクロ基地局１０２のカバレッジエリア１１０と重複するカバレッジエリア１１０’を有しうる。スモールセルとマクロセルとの両方を含むネットワークは、異種ネットワークとして知られうる。異種ネットワークはまた、ホーム発展型ノードＢ（ｅＮＢ）（ＨｅＮＢ）を含みえ、それは、クローズド加入者グループ（ＣＳＧ）として知られる制限されたグループにサービスを提供しうる。基地局１０２とＵＥ１０４との間の通信リンク１２０は、ＵＥ１０４から基地局１０２への（逆方向リンクとも呼ばれる）アップリンク（ＵＬ）送信および／または基地局１０２からＵＥ１０４への（順方向リンクとも呼ばれる）ダウンリンク（ＤＬ）送信を含みうる。通信リンク１２０は、空間多重化、ビームフォーミング、および／または送信ダイバーシティを含むＭＩＭＯアンテナ技術を使用しうる。通信リンクは、１つまたは複数のキャリアを通りうる。基地局１０２／ＵＥ１０４は、各方向での送信のために使用される最大で合計Ｙｘ ＭＨｚ（ｘ個のコンポーネントキャリア）のキャリアアグリゲーションにおいて割り振られるキャリアあたり最大Ｙ ＭＨｚ（例えば、５、１０、１５、２０ＭＨｚ）帯域幅のスペクトルを使用しうる。キャリアは、互いに隣接していることがありうるか、またはしていないことがありうる。キャリアの割り振りは、ＤＬおよびＵＬに対して非対称でありうる（例えば、ＵＬに対してよりも多くのまたは少ないキャリアがＤＬに対して割り振られうる）。コンポーネントキャリアは、１つのプライマリコンポーネントキャリアと１つまたは複数のセカンダリコンポーネントキャリアとを含みうる。プライマリコンポーネントキャリアは、プライマリセル（ＰＣｅｌｌ）と呼ばれ、セカンダリコンポーネントキャリアは、セカンダリセル（ＳＣｅｌｌ）と呼ばれうる。
【００１８】
[0033]ワイヤレス通信システムはさらに、５ＧＨｚの無認可周波数スペクトル中で通信リンク１５４を介してＷｉ−Ｆｉ局（ＳＴＡ）１５２と通信中のＷｉ−Ｆｉアクセスポイント（ＡＰ）１５０を含みうる。無認可周波数スペクトル中で通信するとき、ＳＴＡ１５２／ＡＰ１５０は、チャネルが利用可能かどうかを決定するために、通信するより前にクリアチャネル評価（ＣＣＡ）を遂行しうる。
【００１９】
[0034]スモールセル１０２’は、認可済および／または無認可周波数スペクトル中で動作しうる。無認可周波数スペクトル中で動作するとき、スモールセル１０２’は、ＬＴＥを用い、Ｗｉ−Ｆｉ ＡＰ１５０によって使用されたのと同じ５ＧＨｚの無認可周波数スペクトルを使用しうる。無認可周波数スペクトル中でＬＴＥを用いるスモールセル１０２’は、アクセスネットワークに対するカバレッジを強化および／またはアクセスネットワークの容量を増大させうる。無認可スペクトル中のＬＴＥは、ＬＴＥ−ｕｎｌｉｃｅｎｓｅｄ（ＬＴＥ−Ｕ）、認可済支援アクセス（ＬＡＡ：licensed assisted access）、またはＭｕＬＴＥｆｉｒｅと呼ばれうる。
【００２０】
[0035]ＥＰＣ１６０は、モビリティ管理エンティティ（ＭＭＥ）１６２、他のＭＭＥ１６４、サービングゲートウェイ１６６、マルチメディアブロードキャストマルチキャストサービス（ＭＢＭＳ）ゲートウェイ１６８、ブロードキャストマルチキャストサービスセンター（ＢＭ−ＳＣ）１７０、およびパケットデータネットワーク（ＰＤＮ）ゲートウェイ１７２を含みうる。ＭＭＥ１６２は、ホーム加入者サーバ（ＨＳＳ）１７４と通信中でありうる。ＭＭＥ１６２は、ＵＥ１０４とＥＰＣ１６０との間でのシグナリングを処理する制御ノードである。概して、ＭＭＥ１６２は、ベアラおよび接続管理を提供する。全てのユーザインターネットプロトコル（ＩＰ）パケットは、サービングゲートウェイ１６６を通じて転送され、それ自体は、ＰＤＮゲートウェイ１７２に接続される。ＰＤＮゲートウェイ１７２は、ＵＥ ＩＰアドレス割り振り、ならびに他の機能を提供する。ＰＤＮゲートウェイ１７２およびＢＭ−ＳＣ１７０は、ＩＰサービス１７６に接続される。ＩＰサービス１７６は、インターネット、イントラネット、ＩＰマルチメディアサブシステム（ＩＭＳ）、ＰＳストリーミングサービス（ＰＳＳ）、および／または他のＩＰサービスを含みうる。ＢＭ−ＳＣ１７０は、ＭＢＭＳユーザサービスプロビジョニングおよび配信のための機能を提供しうる。ＢＭ−ＳＣ１７０は、コンテンツプロバイダＭＢＭＳ送信のためのエントリポイントとしての役割を果たし、公衆陸上モバイルネットワーク（ＰＬＭＮ：public land mobile network）内のＭＢＭＳベアラサービスを認可および開始するために使用され、ＭＢＭＳ送信をスケジュールするために使用されうる。ＭＢＭＳゲートウェイ１６８は、特定のサービスをブロードキャストするマルチキャストブロードキャスト単一周波数ネットワーク（ＭＢＳＦＮ）エリアに属する基地局１０２にＭＢＭＳトラフィックを分配するために使用され、セッション管理（開始／停止）およびｅＭＢＭＳに関連する課金情報（charging information）を収集することを担いうる。
【００２１】
[0036]基地局はまた、ノードＢ、発展型ノードＢ（ｅＮＢ）、アクセスポイント、ベーストランシーバ局、無線基地局、無線トランシーバ、トランシーバ機能、基本サービスセット（ＢＳＳ）、拡張サービスセット（ＥＳＳ）、または何らかの他の適した専門用語で呼ばれうる。基地局１０２は、ＵＥ１０４に対してＥＰＣ１６０へのアクセスポイントを提供する。ＵＥ１０４の例は、セルラ電話、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレーヤ（例えば、ＭＰ３プレーヤ）、カメラ、ゲーム機器、タブレット、スマートデバイス、ウェアラブルデバイス、または任意の他の同様の機能的なデバイスを含む。ＵＥ１０４はまた、局、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適した専門用語で呼ばれうる。
【００２２】
[0037]図１を再び参照すると、ある特定の態様では、ｅＮＢ１０２は、ＵＥ１０４に、シングルトーンアップリンク送信中で複数のシンボルを送信するにあたって使用するための異なるトーンインデックスに関連付けられた情報をシグナリングしうる。ＵＥ１０４は、この情報を受信しうる。ＵＥ１０４は、シングルトーンアップリンク送信１９８を送信しえ、それは、複数のシンボルを含む。ある態様では、複数のシンボル中のシンボルのグループは、ｅＮＢ１０２からの情報によって示された異なるトーンインデックスを使用してシングルトーンアップリンク送信１９８中で送信される。それ故に、ｅＮＢ１０２は、複数のシンボルを有するシングルトーンアップリンク送信１９８を受信しえ、複数のシンボル中のシンボルのペアは、シングルトーンアップリンク送信１９８の異なるトーンインデックス中で受信される。
【００２３】
[0038]図２Ａは、ＬＴＥにおけるＤＬフレーム構造の例を例示する図２００である。図２Ｂは、ＬＴＥにおけるＤＬフレーム構造内のチャネルの例を例示する図２３０である。図２Ｃは、ＬＴＥにおけるＵＬフレーム構造の例を例示する図２５０である。図２Ｄは、ＬＴＥにおけるＵＬフレーム構造内のチャネルの例を例示する図２８０である。他のワイヤレス通信技術は、異なるフレーム構造および／または異なるチャネルを有しうる。ＬＴＥでは、フレーム（１０ｍｓ）は、１０個の等しいサイズのサブフレームに分割されうる。各サブフレームは、２つの連続したタイムスロットを含みうる。２つのタイムスロットを表すためにリソースグリッドが使用されえ、各タイムスロットは、１つまたは複数の時間同時並行（time concurrent）のリソースブロック（ＲＢ）（物理ＲＢ（ＰＲＢ）とも呼ばれる）を含む。リソースグリッドは、複数のリソース要素（ＲＥ）に分割される。ＬＴＥでは、通常のサイクリックプレフィックスの場合、ＲＢは、周波数ドメイン中に１２個の連続したサブキャリアを、時間ドメイン中に７つの連続したシンボルを（ＤＬの場合、ＯＦＤＭシンボルを；ＵＬの場合、ＳＣ−ＦＤＭＡシンボルを）包含し、合計で８４個のＲＥとなる。拡張されたサイクリックプレフィックスの場合、ＲＢは、周波数ドメイン中に１２個の連続したサブキャリアを、時間ドメイン中に６つの連続したシンボルを包含し、合計で７２個のＲＥとなる。各ＲＥによって搬送されるビットの数は、変調スキームに依存する。
【００２４】
[0039]図２Ａ中に例示されているように、ＲＥのうちのいくつかは、ＵＥにおけるチャネル推定のためのＤＬ基準（パイロット）信号（ＤＬ−ＲＳ）を搬送する。ＤＬ−ＲＳは、（共通ＲＳと呼ばれることもある）セル固有基準信号（ＣＲＳ）、ＵＥ固有基準信号（ＵＥ−ＲＳ）、およびチャネル状態情報基準信号（ＣＳＩ−ＲＳ）を含みうる。図２Ａは、（それぞれ、Ｒ0、Ｒ1、Ｒ2、およびＲ3と示されている）アンテナポート０、１、２、および３に対するＣＲＳ、（Ｒ5と示されている）アンテナポート５に対するＵＥ−ＲＳ、および（Ｒと示されている）アンテナポート１５に対するＣＳＩ−ＲＳを例示している。図２Ｂは、フレームのＤＬサブフレーム内の様々なチャネルの例を例示している。物理制御フォーマットインジケータチャネル（ＰＣＦＩＣＨ）は、スロット０のシンボル０内にあり、物理ダウンリンク制御チャネル（ＰＤＣＣＨ）が１つのシンボルを占有するか、２つのシンボルを占有するか、または３つのシンボルを占有するかを示す制御フォーマットインジケータ（ＣＦＩ）を搬送する（図２Ｂは、３つのシンボルを占有するＰＤＣＣＨを例示している）。ＰＤＣＣＨは、１つまたは複数の制御チャネル要素（ＣＣＥ）内のダウンリンク制御情報（ＤＣＩ）を搬送し、各ＣＣＥは、９つのＲＥグループ（ＲＥＧ）を含み、各ＲＥＧは、ＯＦＤＭシンボル中に４つの連続したＲＥを含む。ＵＥは、これもまたＤＣＩを搬送するＵＥ固有拡張ＰＤＣＣＨ（ｅＰＤＣＣＨ）で構成されうる。ｅＰＤＣＣＨは、２、４、または８つのＲＢペアを有しうる（図２Ｂは、２つのＲＢペアを示しており、各サブセットは、１つのＲＢペアを含む）。物理ハイブリッド自動再送要求（ＡＲＱ）（ＨＡＲＱ）インジケータチャネル（ＰＨＩＣＨ）もまた、スロット０のシンボル０内にあり、物理アップリンク共有チャネル（ＰＵＳＣＨ）に基づいてＨＡＲＱ確認応答（ＡＣＫ）／否定ＡＣＫ（ＮＡＣＫ）フィードバックを示すＨＡＲＱインジケータ（ＨＩ）を搬送する。プライマリ同期チャネル（ＰＳＣＨ）は、フレームのサブフレーム０および５内のスロット０のシンボル６内にあり、サブフレームタイミングおよび物理レイヤアイデンティティを決定するためにＵＥによって使用されるプライマリ同期信号（ＰＳＳ）を搬送する。セカンダリ同期チャネル（ＳＳＣＨ）は、フレームのサブフレーム０および５内のスロット０のシンボル５内にあり、物理レイヤセルアイデンティティグループ番号を決定するためにＵＥによって使用されるセカンダリ同期信号（ＳＳＳ）を搬送する。物理レイヤアイデンティティおよび物理レイヤセルアイデンティティグループ番号に基づいて、ＵＥは、物理セル識別子（ＰＣＩ）を決定することができる。ＰＣＩに基づいて、ＵＥは、前述されたＤＬ−ＲＳのロケーションを決定することができる。物理ブロードキャストチャネル（ＰＢＣＨ）は、フレームのサブフレーム０のスロット１のシンボル０、１、２、３内にあり、マスタ情報ブロック（ＭＩＢ）を搬送する。ＭＩＢは、ＤＬシステム帯域幅中のＲＢの数、ＰＨＩＣＨ構成、およびシステムフレーム番号（ＳＦＮ）を提供する。物理ダウンリンク共有チャネル（ＰＤＳＣＨ）は、ページングメッセージ、システム情報ブロック（ＳＩ���）のようなＰＢＣＨを通じて送信されないブロードキャストシステム情報、およびユーザデータを搬送する。
【００２５】
[0040]図２Ｃ中に例示されているように、ＲＥのうちのいくつかは、ｅＮＢにおけるチャネル推定のための復調基準信号（ＤＭ−ＲＳ）を搬送する。ＵＥは加えて、サブフレームの最後のシンボル中でサウンディング基準信号（ＳＲＳ）を送信しうる。ＳＲＳは、コーム構造（comb structure）を有し、ＵＥは、コームのうちの１つ上でＳＲＳを送信しうる。ＳＲＳは、ＵＬ上での周波数依存スケジューリングを可能にするために、チャネル品質推定のためにｅＮＢによって使用されうる。図２Ｄは、フレームのＵＬサブフレーム内の様々なチャネルの例を例示している。物理ランダムアクセスチャネル（ＰＲＡＣＨ）は、ＰＲＡＣＨ構成に基づいてフレーム内の１つまたは複数のサブフレーム内にありうる。ＰＲＡＣＨは、サブフレーム内に６つの連続したＲＢペアを含みうる。ＰＲＡＣＨは、ＵＥが初期システムアクセスを遂行し、ＵＬ同期を達成することを可能にする。物理アップリンク制御チャネル（ＰＵＣＣＨ）は、ＵＬシステム帯域幅の両端上にロケートされうる。ＰＵＣＣＨは、ＨＡＲＱ ＡＣＫ／ＮＡＣＫフィードバック、ランクインジケータ（ＲＩ）、プリコーディング行列インジケータ（ＰＭＩ）、チャネル品質インジケータ（ＣＱＩ）、およびスケジューリング要求のようなアップリンク制御情報（ＵＣＩ）を搬送する。ＰＵＳＣＨは、データを搬送し、加えて、バッファ状態レポート（ＢＳＲ）、電力ヘッドルームレポート（ＰＨＲ）、および／またはＵＣＩを搬送するために使用されうる。
【００２６】
[0041]図３は、アクセスネットワーク中でＵＥ３５０と通信中のｅＮＢ３１０のブロック図である。ＤＬでは、ＥＰＣ１６０からのＩＰパケットは、コントローラ／プロセッサ３７５に提供されうる。コントローラ／プロセッサ３７５は、レイヤ３およびレイヤ２の機能をインプリメントする。レイヤ３は、無線リソース制御（ＲＲＣ）レイヤを含み、レイヤ２は、パケットデータコンバージェンスプロトコル（ＰＤＣＰ）レイヤ、無線リンク制御（ＲＬＣ）レイヤ、および媒体アクセス制御（ＭＡＣ）レイヤを含む。コントローラ／プロセッサ３７５は、システム情報（例えば、ＭＩＢ、ＳＩＢ）のブロードキャスティング、ＲＲＣ接続制御（例えば、ＲＲＣ接続ページング、ＲＲＣ接続確立、ＲＲＣ接続修正、およびＲＲＣ接続解放）、無線アクセス技術（ＲＡＴ）間モビリティ、およびＵＥ測定レポーティングのための測定構成に関連付けられたＲＲＣレイヤの機能と、ヘッダ圧縮／解凍、セキュリティ（暗号化、暗号解読、完全性保護、完全性検証）、およびハンドオーバサポート機能に関連付けられたＰＤＣＰレイヤの機能と、上位レイヤパケットデータユニット（ＰＤＵ）の転送、ＡＲＱを通じた誤り訂正、ＲＬＣサービスデータユニット（ＳＤＵ）の連結、セグメント化、およびリアセンブリ、ＲＬＣデータＰＤＵの再セグメント化、およびＲＬＣデータＰＤＵの再順序付けに関連付けられたＲＬＣレイヤの機能と、論理チャネルとトランスポートチャネルとの間でのマッピング、トランスポートブロック（ＴＢ）上へのＭＡＣ ＳＤＵの多重化、ＴＢからのＭＡＣ ＳＤＵの逆多重化、スケジューリング情報レポーティング、ＨＡＲＱを通じた誤り訂正、優先度処理（priority handling）、および論理チャネル優先順位付けに関連付けられたＭＡＣレイヤの機能とを提供する。
【００２７】
[0042]送信（ＴＸ）プロセッサ３１６および受信（ＲＸ）プロセッサ３７０は、様々な信号処理機能に関連付けられたレイヤ１の機能をインプリメントする。物理（ＰＨＹ）レイヤを含むレイヤ１は、トランスポートチャネル上での誤り検出、トランスポートチャネルの前方誤り訂正（ＦＥＣ）コーディング／復号、インタリービング、レートマッチング、物理チャネル上へのマッピング、物理チャネルの変調／復調、およびＭＩＭＯアンテナ処理を含みうる。ＴＸプロセッサ３１６は、様々な変調スキーム（例えば、２位相偏移変調（ＢＰＳＫ）、４位相偏移変調（ＱＰＳＫ）、Ｍ位相偏移変調（Ｍ−ＰＳＫ）、Ｍ値直交振幅変調（Ｍ−ＱＡＭ））に基づいて信号コンステレーションにマッピングすることを処理する。コーディングおよび変調されたシンボルはその後、並列ストリームに分けられうる。各ストリームはその後、時間ドメインＯＦＤＭシンボルストリームを搬送する物理チャネルを生成するために、ＯＦＤＭサブキャリアにマッピングされ、時間および／または周波数ドメイン中で基準信号（例えば、パイロット）と多重化され、その後、逆高速フーリエ変換（ＩＦＦＴ）を使用してともに組み合わされうる。ＯＦＤＭストリームは、複数の空間ストリームを生成するために空間的にプリコーディングされる。チャネル推定器３７４からのチャネル推定値は、コーディングおよび変調スキームを決定するために、ならびに空間処理のために使用されうる。チャネル推定値は、ＵＥ３５０によって送信されたチャネル条件フィードバックおよび／または基準信号から導出されうる。各空間ストリームはその後、別個の送信機３１８ＴＸを介して異なるアンテナ３２０に提供されうる。各送信機３１８ＴＸは、送信のためのそれぞれの空間ストリームを用いてＲＦキャリアを変調しうる。
【００２８】
[0043]ＵＥ３５０において、各受信機３５４ＲＸは、そのそれぞれのアンテナ３５２を通じて信号を受信する。各受信機３５４ＲＸは、ＲＦキャリア上に変調された情報を復元し、受信（ＲＸ）プロセッサ３５６にその情報を提供する。ＴＸプロセッサ３６８およびＲＸプロセッサ３５６は、様々な信号処理機能に関連付けられたレイヤ１の機能をインプリメントする。ＲＸプロセッサ３５６は、ＵＥ３５０に宛てられた任意の空間ストリームを復元するために、情報に対して空間処理を遂行しうる。複数の空間ストリームがＵＥ３５０に宛てられる場合、それらは、ＲＸプロセッサ３５６によって単一のＯＦＤＭシンボルストリームへと組み合わされうる。ＲＸプロセッサ３５６はその後、高速フーリエ変換（ＦＦＴ）を使用して、時間ドメインから周波数ドメインにＯＦＤＭシンボルストリームを変換する。周波数ドメイン信号は、ＯＦＤＭ信号のサブキャリアごとに別個のＯＦＤＭシンボルストリームを備える。各サブキャリア上のシンボル、および基準信号は、ｅＮＢ３１０によって送信された最も可能性の高い信号コンステレーションポイントを決定することによって復元および復調される。これらの軟判定は、チャネル推定器３５８によって計算されたチャネル推定値に基づきうる。軟判定はその後、物理チャネル上でｅＮＢ３１０によって当初送信されたデータおよび制御信号を復元するために復号およびデインターリーブされる。データおよび制御信号はその後、コントローラ／プロセッサ３５９に提供され、それは、レイヤ３およびレイヤ２の機能をインプリメントする。
【００２９】
[0044]コントローラ／プロセッサ３５９は、プログラムコードおよびデータを記憶するメモリ３６０に関連付けられることができる。メモリ３６０は、コンピュータ可読媒体と呼ばれうる。ＵＬでは、コントローラ／プロセッサ３５９は、ＥＰＣ１６０からのＩＰパケットを復元するために、トランスポートチャネルと論理チャネルとの間での逆多重化、パケットのリアセンブリ、暗号解読、ヘッダ解凍、および制御信号処理を提供する。コントローラ／プロセッサ３５９はまた、ＨＡＲＱ動作をサポートするために、ＡＣＫおよび／またはＮＡＣＫプロトコルを使用する誤り検出を担う。
【００３０】
[0045]ｅＮＢ３１０によるＤＬ送信に関連して説明された機能と同様に、コントローラ／プロセッサ３５９は、システム情報（例えば、ＭＩＢ、ＳＩＢ）獲得、ＲＲＣ接続、および測定レポーティングに関連付けられたＲＲＣレイヤの機能と、ヘッダ圧縮／解凍、およびセキュリティ（暗号化、暗号解読、完全性保護、完全性検証）に関連付けられたＰＤＣＰレイヤの機能と、上位レイヤＰＤＵの転送、ＡＲＱを通じた誤り訂正、ＲＬＣ ＳＤＵの連結、セグメント化、およびリアセンブリ、ＲＬＣデータＰＤＵの再セグメント化、およびＲＬＣデータＰＤＵの再順序付けに関連付けられたＲＬＣレイヤの機能と、論理チャネルとトランスポートチャネルとの間でのマッピング、ＴＢ上へのＭＡＣ ＳＤＵの多重化、ＴＢからのＭＡＣ ＳＤＵの逆多重化、スケジューリング情報レポーティング、ＨＡＲＱを通じた誤り訂正、優先度処理、および論理チャネル優先順位付けに関連付けられたＭＡＣレイヤの機能とを提供する。
【００３１】
[0046]ｅＮＢ３１０によって送信されたフィードバックまたは基準信号からチャネル推定器３５８によって導出されたチャネル推定値は、適切なコーディングおよび変調スキームを選択することと、空間処理を容易にすることとを行うために、ＴＸプロセッサ３６８によって使用されうる。ＴＸプロセッサ３６８によって生成された空間ストリームは、別個の送信機３５４ＴＸを介して異なるアンテナ３５２に提供されうる。各送信機３５４ＴＸは、送信のためのそれぞれの空間ストリームを用いてＲＦキャリアを変調しうる。
【００３２】
[0047]ＵＬ送信は、ＵＥ３５０における受信機機能に関連して説明されたのと同様の方法でｅＮＢ３１０において処理される。各受信機３１８ＲＸは、そのそれぞれのアンテナ３２０を通じて信号を受信する。各受信機３１８ＲＸは、ＲＦキャリア上に変調された情報を復元し、ＲＸプロセッサ３７０にその情報を提供する。
【００３３】
[0048]コントローラ／プロセッサ３７５は、プログラムコードおよびデータを記憶するメモリ３７６に関連付けられることができる。メモリ３７６は、コンピュータ可読媒体と呼ばれうる。ＵＬでは、コントローラ／プロセッサ３７５は、ＵＥ３５０からのＩＰパケットを復元するために、トランスポートチャネルと論理チャネルとの間での逆多重化、パケットのリアセンブリ、暗号解読、ヘッダ解凍、制御信号処理を提供する。コントローラ／プロセッサ３７５からのＩＰパケットは、ＥＰＣ１６０に提供されうる。コントローラ／プロセッサ３７５はまた、ＨＡＲＱ動作をサポートするために、ＡＣＫおよび／またはＮＡＣＫプロトコルを使用する誤り検出を担う。
【００３４】
[0049]セルラモノのインターネット（ＣＩｏＴ）は、「モノ」を相互接続し、それらとセルラネットワークとの間でデータを交換する。「モノ」は、ＵＥ、機械、機械の一部、スマートメータ、家電機器、センサ、または小売商品あるいは衣服のような日用品でさえありうる。ＣＩｏＴは、多数のデバイスをサポートするために、セルラネットワークとの接続性に関して異なる要件を有しうる。
【００３５】
[0050]狭帯域ＬＴＥ（ＮＢ−ＬＴＥ）は、その低インプリメンテーションコスト、使いやすさ、および電力効率によりＣＩｏＴによく適していることがありうる、広く展開されているＬＴＥ技術の最適化された変形である。加えて、ＮＢ−ＬＴＥは、改善された屋内カバレッジ、大量の低スループットＵＥをサポートする能力、低遅延感度（low-delay sensitivity）、超低デバイスコスト、より低いデバイス電力消費、および最適化されたネットワークアーキテクチャを提供しうる。例えば、ＮＢ−ＬＴＥは、ＬＴＥキャリア内のリソースブロック（ＲＢ）を利用しておよび／またはＬＴＥキャリアのガードバンド内の使用されていないＲＢ中で展開されうる。
【００３６】
[0051]サブフレーム帯域幅あたり単一のＲＢが、セルラネットワークとのＣＩｏＴ通信をさらに改善することに役立てるために、ＮＢ−ＬＴＥ通信において使用するために企図されてきた。しかしながら、概してサブフレームあたり２つのＲＢを有する既存のネットワーク構造を使用するアップリンクデータ送信において使用するための単一のＲＢ帯域幅は、アップリンクユーザデータ送信の多重化について制限された寸法を有する。これは、シングルトーンアップリンク送信について特に当てはまりえ、それは、１２個から１つにＲＢあたりのトーンの数を低減する。このことから、本開示は、ＮＢ−ＬＴＥを使用するシングルトーンアップリンク送信を可能にするために、周波数ホッピングスキームを提供することによってこの問題に対するソリューションを提供する。
【００３７】
[0052]例えば、本開示は、例えば、
【００３８】
【数１】
2018538766.tif 000003
【００３９】
だけ増大されるトーンあたりの信号対雑音比（ＳＮＲ）を増大しうる複数のユーザのためにシングルトーンアップリンク送信の周波数分割多重化を可能にする。ＳＮＲにおけるこの増大は、セルエネルギーが１２個のトーンから単一のトーンに集中されることによって引き起こされ、クロスサブフレームコーディングを可能にしうる。加えて、本開示は、大きなカバレッジ拡張を提供しうる長いバンドリング、ペイロードサイズにおける低下、およびＰＵＳＣＨとＰＵＣＣＨとのサブフレーム内の基準信号（ＲＳ）シンボルのロケーションと数とに関連する再設計されたフレーム構造を提供する。その上、本開示は、ＰＲＡＣＨ中でのシングルトーンアップリンク送信を可能にするために、ＰＲＡＣＨに関連付けられた大きなセルサイズとサイクリックプレフィックス（ＣＰ）長によって引き起こされる制限に対するソリューションを提供する。
【００４０】
[0053]図４は、ＮＢ−ＬＴＥを使用して１つまたは複数のＵＥ４０６ａ、４０６ｂと基地局４０４との間でのシングルトーンアップリンク送信を可能にするワイヤレス通信システム４００の図である。図４中に例示されているように、サービングセル４０２は、基地局４０４によってサービングされる領域である。基地局４０４は、ＮＢ−ＬＴＥを使用してシングルトーンアップリンク送信を可能にするために、ＵＥ４０６ａ、４０６ｂの各々についての周波数ホッピングパターンを決定しうる４２０。基地局４０４によって決定された各周波数ホッピングパターンは、それぞれのＵＥ４０６ａ、４０６ｂにシグナリングされうる４１０、４１６。ある態様では、ＵＥ４０６ａ、４０６ｂのうちの１つまたは複数は、それぞれの周波数ホッピングパターンに基づいて基地局４０４にシングルトーンアップリンク送信４１２、４１８を送信しうる。シングルトーンアップリンク送信４１２、４１８は、データシンボルおよび／またはＲＳシンボルのうちの１つまたは複数を含みうる。ある態様では、ＲＳシンボルロケーションは、誤り性能（error performance）によって最適化されうる。例えば、ＲＳシンボルの数は、小さなペイロード送信またはＳＮＲに益するように、サブフレームあたり２つからサブフレームあたり４つに増大されうる。ある態様では、シングルトーンアップリンク送信コーディングスキームは、テイルバイティング畳み込みコード（ＴＢＣＣ：a tail-biting convolutional code）またはデュアルリードマラーコード（a dual Reed-Muller code）のうちの少なくとも１つに基づきうる。
【００４１】
[0054]ある態様では、周波数ホッピングパターンは、シングルトーンアップリンク送信中で複数のシンボルを送信するにあたってＵＥ４０６ａ、４０６ｂによって使用するための異なるトーンインデックスを含みうる。周波数ホッピングパターンは、異なるシンボルがシングルトーンアップリンク送信の異なるトーンインデックスを使用して送信されることを示しうる。例えば、各トーンインデックスは、図５〜７中に例示されているように、異なる周波数に関連付けられうる。
【００４２】
[0055]図５は、シンボルのグループが固定距離だけ離される、異なるトーンインデックスを使用して単一のＵＥによって送信される周波数ホッピングパターン５００の態様を例示している。ある態様では、固定距離は、トーンインデックス（ｉ）とトーンインデックス（ｉ＋１）との間の周波数差でありうる。複数のシンボルは、単一のサブフレーム５０２中で送信され、複数のデータシンボル５０４と基準信号シンボル５０６とを含みうる。図５中に例示されているように、全ての他の（every other）シンボルは、トーンインデックス（ｉ）またはトーンインデックス（ｉ＋１）のいずれかを使用して送信される。すなわち、全ての他のシンボルは、異なるトーンインデックスに「ホッピング」する。
【００４３】
[0056]図６は、２つのＵＥによって送信されたシンボルのグループが固定距離だけ離されている異なるトーンインデックスを使用して多重化される周波数ホッピングパターン６００の態様を例示している。ある態様では、固定距離は、トーンインデックス（ｉ）とトーンインデックス（ｉ＋１）との間の周波数差でありうる。２つのＵＥからの送信は、単一のサブフレーム６０２中で多重化されうる。例えば、複数のシンボルは、ＵＥ１からのデータシンボル６０４、ＵＥ１からのＲＳシンボル６０６、ＵＥ２からのデータシンボル６０８、およびＵＥ２からのＲＳシンボル６１０を含みうる。図６中に例示されているように、全ての他のシンボルは、トーンインデックス（ｉ）またはトーンインデックス（ｉ＋１）のいずれかを使用して送信される。すなわち、全ての他のシンボルは、異なるトーンインデックスに「ホッピング」する。
【００４４】
[0057]ここで図４を参照すると、ＵＥ４０６ａ（例えば、ＵＥ１）は、第１のトーンインデックス（例えば、図５および６中のトーンインデックス（ｉ））を使用して第１のシンボルペアの第１のシンボルを送信することと、第１のトーンインデックスとの固定周波数差である第２のトーンインデックス（例えば、図５および６中のトーンインデックス（ｉ＋１））を使用して第１のシンボルペアの第２のシンボルを送信することとによって、シングルトーンアップリンク送信中で複数のシンボルを送信しうる。加えて、ＵＥ４０６ａは、第１のトーンインデックス（例えば、図５および６中のトーンインデックス（ｉ））を使用して第２のシンボルペアの第３のシンボルを送信することと、第２のトーンインデックス（例えば、図５および６中のトーンインデックス（ｉ＋１））を使用して第２のシンボルペアの第４のシンボルを送信することとによって、シングルトーンアップリンク送信中で複数のシンボルを送信しうる。
【００４５】
[0058]加えて、ＵＥ４０６ｂ（例えば、ＵＥ２）は、第２のトーンインデックス（例えば、図６中のトーンインデックス（ｉ＋１））を使用して第１のシンボルペアの第１のシンボルを送信することと、第１のトーンインデックス（例えば、図６中のトーンインデックス（ｉ））を使用して第１のシンボルペアの第２のシンボルを送信することとによって、シングルトーンアップリンク送信中で複数のシンボルを送信しうる。加えて、ＵＥ４０６ｂは、第２のトーンインデックス（例えば、図５および６中のトーンインデックス（ｉ＋１））を使用して第２のシンボルペアの第３のシンボルを送信することと、第１のトーンインデックス（例えば、図６中のトーンインデックス（ｉ））を使用して第２のシンボルペアの第４のシンボルを送信することとによって、シングルトーンアップリンク送信中で複数のシンボルを送信しうる。第２のインデックスは、図５および６中に図示されている例証的な態様中に例示されているように、第１のトーンインデックスとの固定周波数差でありうる。
【００４６】
[0059]図７は、２つのＵＥによって送信されたシンボルペアが非固定距離だけ離される、異なるトーンインデックスを使用して多重化される周波数ホッピングパターン７００の態様を例示している。ある態様では、非固定距離は、非固定周波数差でありうる。２つのＵＥからの送信は、単一のサブフレーム７０２中で多重化されうる。例えば、複数のシンボルは、ＵＥ１からのデータシンボル７０４、ＵＥ１からのＲＳシンボル７０６、ＵＥ２からのデータシンボル７０８、およびＵＥ２からのＲＳシンボル７１０を含みうる。図７中に例示されているように、シンボルペア中の各シンボルは、固定周波数差（例えば、トーンインデックス（１））だけ離されうる。しかしながら、異なるシンボルペアは、他のシンボルペアの固定周波数差とは異なる、または等しい非固定トーンインデックスに「ホッピング」しうる。図７中にもまた例示されているように、同じＵＥによって送信されるデータシンボルのペアと同じトーンインデックスを占有する、各ＵＥから送信されるＲＳシンボルの少なくとも１つのペアが存在しうる。
【００４７】
[0060]例えば、図７中に例示されているように、ＵＥ４０６ａ（例えば、ＵＥ１）からの第１のシンボルペア中の第１のシンボルは、（ｉ）のトーンインデックスを有し、ＵＥ４０６ａからの第１のシンボルペアの第２のシンボルは、（ｉ＋１）のトーンインデックスを有する。しかしながら、図５および６中に例示されている例証的な態様とは対照的に、ＵＥ４０６ａからの第２のシンボルペアの第１のシンボルは、トーンインデックス（ｉ＋２）に「ホッピング」し、ＵＥ４０６ａからの第２のシンボルペアの第２のシンボルは、トーンインデックス（ｉ＋３）にトーンインデックス（１）の固定距離を「ホッピング」する。しかしながら、図７中のシンボルペア間の周波数差が非固定である（例えば、トーンインデックス（１）以上である）ことから、例えば、４０６ａからの第２のシンボルペアの第１のシンボルは、トーンインデックス（ｉ＋２）に「ホッピング」することに制限されず、代わりにトーンインデックス（ｉ＋３）に「ホッピング」することができる。
【００４８】
[0061]加えて、ＵＥ４０６ｂ（例えば、ＵＥ２）からの第１のシンボルペア中の第１のシンボルは、（ｉ＋１）のトーンインデックスを有し、ＵＥ４０６ｂからの第１のシンボルペアの第２のシンボルは、（ｉ）のトーンインデックスを有する。図７中に例示されているように、ＵＥ４０６ｂからの第２のシンボルペアの第１のシンボルは、トーンインデックス（ｉ＋１）に「ホッピング」し、ＵＥ４０６ａからの第２のシンボルペアの第２のシンボルは、トーンインデックス（ｉ）にトーンインデックス（１）の固定距離を「ホッピング」する。しかしながら、図７中の異なるシンボルペア間の周波数差が非固定である（例えば、トーンインデックス（１）以上である）ことから、例えば、４０６ｂからの第２のシンボルペアの第１のシンボルは、トーンインデックス（ｉ＋１）に「ホッピング」することに制限されず、トーンインデックス（ｉ＋２）またはトーンインデックス（ｉ＋３）に「ホッピング」することができる。異なるシンボルペア間で非固定周波数距離を有することによって、セル間干渉は、ランダム化され、周波数ダイバーシティもまた提供しうる。
【００４９】
[0062]図４を再び参照すると、基地局４０４は、ＵＥ４０６ａ、４０６ｂとの通信において使用するためのタイミング推定値を決定することが可能でありうる４２０。タイミング推定値は、シングルトーンアップリンク送信４１２、４１８中で受信されるペア化されたシンボル間のそれぞれの位相差に基づきうる。ある態様では、周波数オフセットが小さいとき（例えば、５０Ｈｚ）、位相オフセットによって引き起こされる位相差は、シンボル長が小さい場合には基地局４０４によって無視されうる。そうでない場合、基地局４０４は、周波数オフセットを推定する必要がありうる。加えて、基地局４０４は、シングルトーンデータ送信のＣＲＣがパスする前に、ＲＳシンボルの位相差に基づいて、ＵＥ４０６ａ、４０６ｂに関連付けられたタイミングオフセットを決定しうる。代替として、基地局４０４は、データシンボルを再符号化および再変調することによりシングルトーンデータ送信のＣＲＣがパスした後で、データシンボルとＲＳシンボルとに基づいて、ＵＥ４０６ａ、４０６ｂのタイミングオフセットを決定しうる。タイミング推定値は、ＵＥ４０６ａ、４０６ｂにおいてタイミングを更新するにあたって使用するためにＵＥ４０６ａ、４０６ｂにシグナリングされうる４７、４１６。
【００５０】
[0063]引き続き図４を参照すると、シングルトーンアップリンク送信４１２、４１８は、ＰＵＳＣＨ、ＰＵＣＣＨ、またはＰＲＡＣＨ上で送信されうる。例えば、シングルトーンアップリンク送信がＰＵＳＣＨ中で送信される場合、複数のシンボルは、第１の数のＲＳシンボルを含みうる。ある態様では、シングルトーンアップリンク送信がＰＵＣＣＨ上で送信され、確認応答（ＡＣＫ）を含む場合、複数のシンボルは、第２の数のＲＳシンボルを含みうる。さらに、シングルトーンアップリンク送信がＰＵＣＣＨ上で送信され、チャネル品質情報（ＣＱＩ）を含む場合、複数のシンボルは、第３の数の基準信号（ＲＳ）シンボルを含みうる。第１の例証的な態様では、第１の数のＲＳシンボル、第２の数のＲＳシンボル、および第３の数のＲＳシンボルは、同じでありうる。第２の例証的な態様では、第１の数のＲＳシンボル、第２の数のＲＳシンボル、または第３の数のＲＳシンボルのうちの少なくとも１つは、異なりうる。
【００５１】
[0064]その上、シングルトーンアップリンク送信４１２、４１８がＰＲＡＣＨ中で送信される場合、ＵＥ４０６ａ、４０６ｂは、トーン間隔を、または各サブフレーム中で複数のシンボルの数を低減しうる４０８、４１４。加えて、シングルトーンアップリンク送信４１２、４１８がＰＲＡＣＨ中で送信される場合、ＵＥ４０６ａ、４０６ｂは、アップリンクパイロットタイムスロット（ＵｐＰＴＳ）中、またはＵｐＰＴＳおよび少なくとも１つの後続のアップリンクサブフレーム中でシングルトーンアップリンク送信４１２、４１８を送信しうる。ある態様では、サービングセル４０２の半径が大きい場合、ＵＥ４０６ａ、４０６ｂと基地局４０４との通信の間でラウンドトリップ遅延が存在しうる。
【００５２】
[0065]例として、サービングセル４０２の半径が７ｋｍである場合、ラウンドトリップ遅延は、６４μｓであり、半径が３５ｋｍである場合、ラウンドトリップ遅延は、２３３μｓでありうる。ＣＰ長は、ラウンドトリップ遅延より大きい必要がありうる。このことから、ＵＥ４０６ａ、４０６ｂは、ＰＲＡＣＨ中で送信するときにシングルトーンアップリンク送信のＣＰ長を増大させる必要がありうる４０８、４１４。
【００５３】
[0066]ＣＰ長を増大させるための第１のシナリオは、サブフレームあたりのシンボルの数を低減しつつも、シンボル長は同じに保つことを含みうる。例えば、１５ＫＨｚのトーン間隔を想定すると、サブフレームあたりのシンボルの数は、４つに低減されえ、ＣＰ長は、７０μ秒に増大される。ＣＰ長を増大させるための第２のシナリオは、トーン間隔を低減しつつも、ＣＰ長ならびにシンボル長を拡大することを含みうる。例えば、トーン間隔は、６の因数（a factor of 6）だけ低減されえ、ＣＰ長は、２８μ秒に設定される。しかしながら、第１および第２のシナリオの両方は、組み合わせる必要がありうる。ここでは、ＵＥ４０６ａ、４０６ｂは、３の因数だけトーン間隔を低減し、サブフレームあたりのシンボルの数を４つに低減し、３ｍｓのサブフレーム中でＣＰ長を３００μｓに増大させうる。
【００５４】
[0067]ある態様では、基地局４０４は、ＵＥ４０６ａ、４０６ｂに、シングルトーンアップリンク送信中で複数のシンボルを送信するにあたって使用するためのフォーマットに関連付けられた情報をシグナリングしうる。例えば、フォーマットは、サブフレーム持続時間、シンボル持続時間、または複数のシンボルに関連付けられたＣＰ長のうちの少なくとも１つを含む。加えて、フォーマットは、ペイロードを伴わないプリアンブルベース、またはペイロードを伴うメッセージベースのいずれかでありうる。
【００５５】
[0068]図８は、ＰＲＡＣＨ中でのシングルトーンアップリンク送信の送信のために使用されるプリアンブルベースのフォーマット８００を例示している。例えば、サブフレーム（ｎ）８０２は、ＣＰ８０６を各々含む２つのシンボル８０８を含み、第２のシンボルは、ガード時間（ＧＴ）８１０を含む。サブフレーム（ｎ）８０２内のトーンホッピングは、固定でありうる。しかしながら、サブフレーム（ｎ）８０２とサブフレーム（ｎ＋ｍ）８０４との間でのトーンホーピング（the tone hoping）は、ランダム（例えば、非固定）でありうる。サブフレーム（ｎ＋ｍ）８０４内では、第１のシンボルから第２のシンボルへのトーンホッピングもまた、固定でありうる。
【００５６】
[0069]図９は、ＰＲＡＣＨ中でのシングルトーンアップリンク送信の送信において使用するためのメッセージベースのフォーマット９００を例示している。例えば、サブフレーム（ｎ）９０２は、複数のデータシンボル９０６とＲＳシンボル９０８とを含みうる。サブフレーム（ｎ）９０２内のトーンホッピングは、固定でありうる。しかしながら、サブフレーム（ｎ）９０２からサブフレーム（ｎ＋ｍ）９０４へのトーンホッピングは、ランダム（例えば、非固定）でありうる。ここで再び、サブフレーム（ｎ＋ｍ）９０４内のトーンホーピング（tone hoping）は、固定でありうる。
【００５７】
[0070]図１０は、シングルトーンアップリンク送信を使用して決定されるタイミング推定正確性のグラフィカルな図示を例示している。ここでは、正確性は、増大された数のシンボルペアおよびサブフレームの数が使用されるときに増大するものとして例示されている。
【００５８】
[0071]図１１は、ワイヤレス通信の方法のフローチャート１１００である。方法は、図４中に例示されているＵＥ４０６ａ、４０６ｂのうちの１つのようなＵＥによって遂行されうる。破線で示されている動作が本開示の様々な態様のためのオプションの動作を表していることは理解されるべきである。
【００５９】
[0072]ブロック１１０２において、ＵＥは、シングルトーンアップリンク送信中で複数のシンボルを送信するにあたって使用するための異なるトーンインデックスを示すシグナリングを受信しうる。ある態様では、異なるトーンインデックスは、周波数ホッピングパターンを示しうる。図４のコンテキストでは、それぞれのＵＥ４０６ａ、４０６ｂは、基地局４０４からそれぞれのシグナリング４１０、４１６を受信し、各それぞれのシグナリング４１０、４１６は、それぞれのＵＥ４０６ａ、４０６ｂに、シングルトーンアップリンク送信において使用するための異なるトーンインデックスを示しうる。一例にしたがって、基地局４０４は、ＮＢ−ＬＴＥを使用してシングルトーンアップリンク送信を可能にするために、ＵＥ４０６ａ、４０６ｂの各々についての周波数ホッピングパターンを決定しうる４２０。基地局４０４によって決定された各周波数ホッピングパターンは、それぞれのＵＥ４０６ａ、４０６ｂにシグナリングされうる４１０、４１６。
【００６０】
[0073]ブロック１１０４において、ＵＥは、シングルトーンアップリンク送信中で複数のシンボルを送信するにあたって使用するためのフォーマットを示すシグナリングを受信しうる。ある態様では、フォーマットは、サブフレーム持続時間、シンボル持続時間、または複数のシンボルに関連付けられたＣＰ長のうちの少なくとも１つを含みうる。別の態様では、フォーマットは、ペイロードを伴わないプリアンブルベース、またはペイロードを伴うメッセージベースのいずれかである。例えば、図４を参照すると、基地局４０４は、ＵＥ４０６ａ、４０６ｂに、シングルトーンアップリンク送信中で複数のシンボルを送信するにあたって使用するためのフォーマットに関連付けられた情報をシグナリングしうる。例証的な態様では、ブロック１１０２および１１０４において受信されるシグナリングは、同時に受信されうる。
【００６１】
[0074]一態様では、フォーマットは、図８において例示されているように、ＰＲＡＣＨ中でのシングルトーンアップリンク送信の送信のために使用されるプリアンブルベースのフォーマット８００にしたがいうる。別の態様では、フォーマットは、図９において例示されているように、ＰＲＡＣＨ中でのシングルトーンアップリンク送信の送信において使用するためのメッセージベースのフォーマット９００にしたがいうる。
【００６２】
[0075]ブロック１１０６において、ＵＥは、シングルトーンアップリンク送信中で複数のシンボルを送信しうる。ある態様では、複数のシンボル中のシンボルのペアは、シングルトーンアップリンク送信の異なるトーンインデックスを使用して送信されうる。ある態様では、異なるトーンインデックスの各トーンインデックスは、異なる周波数に関連付けられる。ある態様では、複数のシンボルは、データシンボルまたはＲＳシンボルのうちの少なくとも１つを備える。ＵＥは、異なるトーンインデックスを示す基地局からのシグナリングに基づいて、異なるトーンインデックスを決定しうる。
【００６３】
[0076]例証的な態様では、ＵＥは、第１のトーンインデックスを使用して第１のシンボルペアの第１のシンボルを送信することと、第１のトーンインデックスとの固定周波数差である第２のトーンインデックスを使用して第１のシンボルペアの第２のシンボルを送信することとによって、シングルトーンアップリンク送信中で複数のシンボルを送信しうる。例えば、図４〜６を参照すると、ＵＥ４０６ａ（例えば、ＵＥ１）は、第１のトーンインデックス（例えば、図５および６中のトーンインデックス（ｉ））を使用して第１のシンボルペアの第１のシンボルを送信することと、第１のトーンインデックスとの固定周波数差である第２のトーンインデックス（例えば、図５および６中のトーンインデックス（ｉ＋１））を使用して第１のシンボルペアの第２のシンボルを送信することとによって、シングルトーンアップリンク送信中で複数のシンボルを送信しうる。
【００６４】
[0077]別の例証的な態様では、ＵＥは、第１のトーンインデックスを使用して第２のシンボルペアの第３のシンボルを送信することと、第１のトーンインデックスとの固定周波数差である第２のトーンインデックスを使用して第２のシンボルペアの第４のシンボルを送信することとによって、シングルトーンアップリンク送信中で複数のシンボルを送信しうる。例えば、図４〜６を参照すると、ＵＥ４０６ａは、第１のトーンインデックス（例えば、図５および６中のトーンインデックス（ｉ））を使用して第２のシンボルペアの第３のシンボルを送信することと、第２のトーンインデックス（例えば、図５および６中のトーンインデックス（ｉ＋１））を使用して第２のシンボルペアの第４のシンボルを送信することとによって、シングルトーンアップリンク送信中で複数のシンボルを送信しうる。
【００６５】
[0078]別の例証的な態様では、ＵＥは、第２のトーンインデックスに対して非固定周波数差である第３のトーンインデックスを使用して第２のシンボルペアの第３のシンボルを送信することと、第３のトーンインデックスとの固定周波数差である第４のトーンインデックスを使用して第２のシンボルペアの第４のシンボルを送信することとによって、シングルトーンアップリンク送信中で複数のシンボルを送信しうる。例えば、図７を参照すると、ＵＥ４０６ａからの第２のシンボルペアの第１のシンボルは、トーンインデックス（ｉ＋２）に「ホッピング」し、ＵＥ４０６ａからの第２のシンボルペアの第２のシンボルは、トーンインデックス（ｉ＋３）にトーンインデックス（１）の固定距離を「ホッピング」する。しかしながら、図７中のシンボルペア間の周波数差が非固定である（例えば、トーンインデックス（１）以上である）ことから、例えば、４０６ａからの第２のシンボルペアの第１のシンボルは、トーンインデックス（ｉ＋２）に「ホッピング」することに制限されず、代わりにトーンインデックス（ｉ＋３）に「ホッピング」することができる。
【００６６】
[0079]別の態様では、ＵＥは、異なるトーンインデックスを使用してサブフレーム中でデータシンボルの少なくとも１つのペアを送信することと、異なるトーンインデックスを使用してサブフレーム中でＲＳシンボルの少なくとも１つのペアを送信することとによって、シングルトーンアップリンク送信中で複数のシンボルを送信しうる。
【００６７】
[0080]ある態様では、シングルトーンアップリンク送信がＰＵＳＣＨ中で送信される場合、複数のシンボルは、第１の数のＲＳシンボルを含みうる。別の態様では、シングルトーンアップリンク送信がＡＣＫを含む場合、複数のシンボルは、第２の数の基準信号ＲＳシンボルを含みうる。さらなる態様では、シングルトーンアップリンク送信がチャネル品質情報ＣＱＩを含む場合、複数のシンボルは、第３の数のＲＳシンボルを含む。またさらなる態様では、第１の数のＲＳシンボル、第２の数のＲＳシンボル、および第３の数のＲＳシンボルは、同じでありうる。その上、第１の数のＲＳシンボル、第２の数のＲＳシンボル、および第３の数のＲＳシンボルのうちの少なくとも１つは、異なりうる。
【００６８】
[0081]一態様では、シングルトーンアップリンク送信がＰＲＡＣＨ中で送信される場合、ＵＥは、トーン間隔を低減しうる、および／または各サブフレーム中で複数のシンボルの数を低減しうる。
【００６９】
[0082]加えて、シングルトーンアップリンク送信がＰＲＡＣＨ中で送信される場合、ＵＥは、ＵｐＰＴＳ中でシングルトーンアップリンク送信を送信しうる、および／またはＵｐＰＴＳおよび少なくとも１つの後続のアップリンクサブフレーム中でシングルトーンアップリンク送信を送信しうる。
【００７０】
[0083]別の態様では、シングルトーンアップリンク送信コーディングスキームは、テイルバイティング畳み込みコード（ＴＢＣＣ）またはデュアルリードマラーコードのうちの少なくとも１つに基づきうる。
【００７１】
[0084]図１２は、ワイヤレス通信の方法のフローチャート１２００である。方法は、図４中に例示されている基地局４０４のような基地局によって遂行されうる。破線で示されている動作が本開示の様々な態様のためのオプションの動作を表していることは理解されるべきである。
【００７２】
[0085]ブロック１２０２において、基地局は、少なくとも１つのＵＥに、シングルトーンアップリンク送信中で複数のシンボルを送信するにあたって使用するための異なるトーンインデックスに関連付けられた情報をシグナリングしうる。ある態様では、基地局は、異なるトーンインデックスに関連付けられた情報を決定しうる。ある態様では、異なるトーンインデックスは、周波数ホッピングパターンを示しうる。それ故に、基地局は、少なくとも１つのＵＥに対して使用されるべき周波数ホッピングパターンを決定しうる。
【００７３】
[0086]図４のコンテキストでは、基地局４０４は、ＮＢ−ＬＴＥを使用してシングルトーンアップリンク送信を可能にするために、ＵＥ４０６ａ、４０６ｂの各々についての周波数ホッピングパターンを決定しうる４２０。基地局４０４によって決定された各周波数ホッピングパターンは、それぞれのＵＥ４０６ａ、４０６ｂにシグナリングされうる４１０、４１６。
【００７４】
[0087]ブロック１２０４において、基地局は、少なくとも１つのＵＥに、シングルトーンアップリンク送信中で複数のシンボルを送信するにあたって使用するためのフォーマットに関連付けられた情報をシグナリングしうる。ある態様では、基地局は、少なくとも１つのＵＥについて、シングルトーンアップリンク送信中で複数のシンボルを送信するにあたって使用するためのフォーマットに関連付けられた情報を決定しうる。ある態様では、フォーマットは、サブフレーム持続時間、シンボル持続時間、または複数のシンボルに関連付けられたＣＰ長のうちの少なくとも１つを含みうる。ある態様では、フォーマットは、ペイロードを伴わないプリアンブルベース、またはペイロードを伴うメッセージベースのいずれかである。
【００７５】
[0088]図４を参照すると、基地局４０４は、ＵＥ４０６ａ、４０６ｂに、シングルトーンアップリンク送信中で複数のシンボルを送信するにあたって使用するためのフォーマットに関連付けられた情報をシグナリングしうる。例証的な態様では、ブロック１２０２および１２０４において受信されるシグナリングは、同時にシグナリングされうる。ある態様では、基地局４０４は、シングルトーンアップリンク送信中で複数のシンボルを送信するにあたって使用するためのフォーマットを決定しうる。ある態様では、基地局４０４は、第１のＵＥ４０６ａについては第１のフォーマットを、第２のＵＥ４０６ｂについては異なるフォーマットを決定しうる。
【００７６】
[0089]一態様では、フォーマットは、図８において例示されているように、ＰＲＡＣＨ中でのシングルトーンアップリンク送信の送信のために使用されるプリアンブルベースのフォーマット８００にしたがいうる。別の態様では、フォーマットは、図９において例示されているように、ＰＲＡＣＨ中でのシングルトーンアップリンク送信の送信において使用するためのメッセージベースのフォーマット９００にしたがいうる。
【００７７】
[0090]ブロック１２０６において、基地局は、シングルトーンアップリンク送信中で複数のシンボルを受信しうる。ある態様では、複数のシンボル中の異なるシンボルは、シングルトーンアップリンク送信の異なるトーンインデックス中で受信されうる。ある態様では、異なるトーンインデックスの各トーンインデックスは、異なる周波数に関連付けられる。ある態様では、複数のシンボルは、ＵＥからのシンボルの第１のセットと第２のＵＥからのシンボルの第２のセットとを備え、複数のシンボルは、データシンボルまたはＲＳシンボルのうちの少なくとも１つを備える。ある態様では、シングルトーンアップリンク送信コーディングスキームは、ＴＢＣＣまたはデュアルリードマラーコードのうちの少なくとも１つに基づく。図４を参照すると、基地局４０４は、第１のＵＥ４０６ａから、複数のシンボルを含むシングルトーンアップリンク送信４１２を受信しうる。ある態様では、複数のシンボル中のシンボルのペアは、第１のＵＥ４０６ａへのシグナリング４１０中の情報中に示されている異なるトーンインデックス中においてシングルトーンアップリンク送信４１２中で受信される。
【００７８】
[0091]１つの例証的な態様では、基地局は、第１のトーンインデックス中で第１のシンボルペアの第１のシンボルを受信することと、第１のトーンインデックスとの固定周波数差である第２のトーンインデックス中で第１のシンボルペアの第２のシンボルを受信することとによって、シングルトーンアップリンク送信中で複数のシンボルを受信しうる。例えば、図４〜６を参照すると、基地局４０４は、第１のトーンインデックス（例えば、図５および６中のトーンインデックス（ｉ））を使用して第１のシンボルペアの第１のシンボルを受信することと、第１のトーンインデックスとの固定周波数差である第２のトーンインデックス（例えば、図５および６中のトーンインデックス（ｉ＋１））を使用して第１のシンボルペアの第２のシンボルを受信することとによって、第１のＵＥ４０６ａ（例えば、ＵＥ１）から、シングルトーンアップリンク送信中で複数のシンボルを受信しうる。
【００７９】
[0092]別の例証的な態様では、基地局は、第１のトーンインデックス中で第２のシンボルペアの第３のシンボルを受信することと、第１のトーンインデックスとの固定周波数差である第２のトーンインデックス中で第２のシンボルペアの第４のシンボルを受信することとによって、シングルトーンアップリンク送信中で複数のシンボルを受信しうる。例えば、図４〜６を参照すると、基地局４０４は、第１のトーンインデックス（例えば、図５および６中のトーンインデックス（ｉ））を使用して第２のシンボルペアの第３のシンボルを受信することと、第２のトーンインデックス（例えば、図５および６中のトーンインデックス（ｉ＋１））を使用して第２のシンボルペアの第４のシンボルを受信することとによって、第１のＵＥ４０６ａから、シングルトーンアップリンク送信中で複数のシンボルを受信しうる。
【００８０】
[0093]さらなる別の例証的な態様では、基地局は、第２のトーンインデックスに対して非固定周波数差である第３のトーンインデックス中で第２のシンボルペアの第３のシンボルを受信することと、第３のトーンインデックスに対して固定周波数差である第４のトーンインデックス中で第２のシンボルペアの第４のシンボルを受信することとによって、シングルトーンアップリンク送信中で複数のシンボルを受信しうる。例えば、図７を参照すると、ＵＥ４０６ａからの第２のシンボルペアの第１のシンボルは、トーンインデックス（ｉ＋２）に「ホッピング」し、ＵＥ４０６ａからの第２のシンボルペアの第２のシンボルは、トーンインデックス（ｉ＋３）にトーンインデックス（１）の固定距離を「ホッピング」する。しかしながら、図７中の異なるシンボルペア間の周波数差が非固定である（例えば、トーンインデックス（１）以上である）ことから、例えば、４０６ａからの第２のシンボルペアの第１のシンボルは、トーンインデックス（ｉ＋２）に「ホッピング」することに制限されず、代わりにトーンインデックス（ｉ＋３）に「ホッピング」することができる。
【００８１】
[0094]ある態様では、基地局は、異なるトーンインデックス中においてサブフレーム中でデータシンボルの少なくとも１つのペアを受信することと、異なるトーンインデックス中においてサブフレーム中でＲＳシンボルの少なくとも１つのペアを受信することとによって、シングルトーンアップリンク送信中で複数のシンボルを受信しうる。
【００８２】
[0095]ある態様では、シングルトーンアップリンク送信がＰＵＳＣＨ中で受信される場合、複数のシンボルは、第１の数のＲＳシンボルを含む。さらなる態様では、シングルトーンアップリンク送信がＡＣＫを含む場合、複数のシンボルは、第２の数のＲＳシンボルを含む。さらなる別の態様では、シングルトーンアップリンク送信がＣＱＩを含む場合、複数のシンボルは、第３の数のＲＳシンボルを含む。加えて、第１の数のＲＳシンボル、第２の数のＲＳシンボル、および第３の数のＲＳシンボルは、同じでありうるか、または第１の数のＲＳシンボル、第２の数のＲＳシンボル、および第３の数のＲＳシンボルのうちの少なくとも１つは、異なる。
【００８３】
[0096]その上、シングルトーンアップリンク送信がＰＲＡＣＨ中で受信される場合、基地局は、ＵｐＰＴＳ中でシングルトーンアップリンク送信を受信しうるか、またはＵｐＰＴＳおよび少なくとも１つの後続のアップリンクサブフレーム中でシングルトーンアップリンク送信を受信しうる。
【００８４】
[0097]加えて、シングルトーンアップリンク送信がＰＲＡＣＨ中で受信される場合、シングルトーンアップリンク送信は、低減されたトーン間隔または各サブフレーム中の低減された数の複数のシンボルのうちの少なくとも１つを含む。
【００８５】
[0098]ブロック１２０８において、基地局は、異なるシンボル間での位相差に基づいてタイミング推定値を決定しうる。例えば、図４を再び参照すると、基地局４０４は、ＵＥ４０６ａ、４０６ｂとの通信において使用するためのタイミング推定値を決定することが可能でありうる４２０。それぞれのタイミング推定値は、それぞれのシングルトーンアップリンク送信４１２、４１８中で受信された固定トーン距離を有するシンボルペア間でのそれぞれの位相差に基づきうる。ある態様では、周波数オフセットが小さいとき（例えば、５０Ｈｚ）、位相オフセットによって引き起こされる位相差は、シンボル長が小さい場合には基地局４０４によって無視されうる。そうでない場合、基地局４０４は、周波数オフセットを推定しうる。
【００８６】
[0099]ブロック１２１０において、基地局は、ＵＥに関連付けられたタイミングオフセットを決定しうる。ある態様では、基地局は、シングルトーンデータ送信のＣＲＣがパスする前に、複数のシンボル中のＲＳシンボルの位相差に基づいて、タイミングオフセットを決定しうる。別の態様では、基地局は、データシンボルを再符号化および再変調することによりシングルトーンデータ送信のＣＲＣがパスした後で、データシンボルとＲＳシンボルとに基づいて、タイミングオフセットを決定しうる。図４を参照すると、基地局４０４は、例えば、それぞれのシングルトーンデータ送信４１２、４１８のＣＲＣがパスする前に、複数のシンボル中のＲＳシンボルの位相差に基づいて、それぞれのＵＥ４０６ａ、４０６ｂに関連付けられたそれぞれのタイミングオフセットを決定しうる。
【００８７】
[00100]図１３は、例証的な装置１３０２中の異なる手段／コンポーネント間でのデータフローを例示する概念的なデータフロー図１３００である。装置１３０２は、ＵＥでありうる。装置は、基地局１３５０から信号を受信するように構成された受信コンポーネント１３０４を含む。装置はさらに、基地局１３５０に信号を送信するように構成された送信コンポーネント１３１０を含みうる。
【００８８】
[00101]ある態様では、装置１３０２は、基地局１３５０に送信されるべきアップリンクシグナリングを決定（例えば、生成）するように構成されたアップリンクシグナリングコンポーネント１３１２を含みうる。例えば、アップリンクシグナリングコンポーネント１３１２は、ＣＩｏＴ通信に関連付けられたデータのような、基地局１３５０に送信されるべきアップリンクデータおよび／またはＲＳを決定するように構成されうる。アップリンクシグナリングコンポーネント１３１２は、送信コンポーネント１３１０にこのアップリンクシグナリング（例えば、データおよび／またはＲＳ）を提供しうる。
【００８９】
[00102]ある態様では、装置１３０２はさらに、トーンインデクシングコンポーネント１３０６を含みうる。ある態様では、トーンインデクシングコンポーネント１３０６は、受信コンポーネント１３０４を通じて、異なるトーンインデックスを示すシグナリングを基地局１３５０から受信するように構成されうる。トーンインデクシングコンポーネント１３０６は、受信されたシグナリングによって示された異なるトーンインデックスを決定するように構成されうる。例えば、トーンインデクシングコンポーネント１３０６は、基地局１３５０からのシグナリングに基づいて周波数ホッピングパターンを決定するように構成されうる。
【００９０】
[00103]ある態様では、トーンインデクシングコンポーネント１３０６は、シングルトーンアップリンク送信中でのアップリンクシグナリングの送信のための複数のシンボルを決定するように構成されうる。ある態様では、トーンインデクシングコンポーネント１３０６は、異なるトーンインデックスを使用して複数のシンボル中のシンボルのグループを決定するように構成されうる。ある態様では、異なるトーンインデックスの各トーンインデックスは、異なる周波数に関連付けられる。
【００９１】
[00104]ある態様では、トーンインデクシングコンポーネント１３０６は、例えば、基地局１３５０から受信されたシグナリングに基づいてトーンインデクシングコンポーネント１３０６によって決定された周波数ホッピングパターンにしたがって、第１のトーンインデックスを使用して第１のシンボルペアの第１のシンボルを決定することと、さらに、第１のトーンインデックスからの固定周波数である第２のトーンインデックスを使用して第１のシンボルペアの第２のシンボルを決定することとを行うように構成されうる。
【００９２】
[00105]ある態様では、トーンインデクシングコンポーネント１３０６は、例えば、基地局１３５０から受信されたシグナリングに基づいてトーンインデクシングコンポーネント１３０６によって決定された周波数ホッピングパターンにしたがって、第１のトーンインデックスを使用して第２のシンボルペアの第３のシンボルを決定することと、さらに、第１のトーンインデックスからの固定周波数である第２のトーンインデックスを使用して第２のシンボルペアの第４のシンボルを決定することとを行うように構成されうる。
【００９３】
[00106]別の態様では、トーンインデクシングコンポーネント１３０６は、第２のトーンインデックスに対して非固定周波数差である第３のトーンインデックスを使用して第２のシンボルペアの第３のシンボルを決定するように構成されうる。トーンインデクシングコンポーネント１３０６はさらに、例えば、基地局１３５０から受信されたシグナリングに基づいてトーンインデクシングコンポーネント１３０６によって決定された周波数ホッピングパターンにしたがって、第３のトーンインデックスからの固定周波数である第４のトーンインデックスを使用して第２のシンボルペアの第４のシンボルを決定するように構成されうる。
【００９４】
[00107]ある態様では、トーンインデクシングコンポーネント１３０６は、異なるトーンインデックスを使用して、サブフレームについてデータシンボルの少なくとも１つのペアを決定するように構成されうる。さらに、トーンインデクシングコンポーネント１３０６は、異なるトーンインデックスを使用して、そのサブフレーム中でＲＳシンボルの少なくとも１つのペアを決定するように構成されうる。
【００９５】
[00108]ある態様では、トーンインデクシングコンポーネント１３０６は、アップリンクシグナリングコンポーネント１３１２からのアップリンクシグナリングがＰＵＳＣＨ中で送信されるべきである場合に、第１の数のＲＳシンボルを決定するように構成されうる。ある態様では、トーンインデクシングコンポーネント１３０６は、アップリンクシグナリングコンポーネント１３１２からのアップリンクシグナリングがＡＣＫを含むべきである場合に、第２の数のＲＳシンボルを決定するように構成されうる。ある態様では、トーンインデクシングコンポーネント１３０６は、アップリンクシグナリングコンポーネント１３１２からのアップリンクシグナリングがＣＱＩを含むべきである場合に、第３の数のＲＳシンボルを決定するように構成されうる。ある態様では、第１、第２、および第３の数のＲＳシンボルは、同じである。別の態様では、第１、第２、または第３の数のＲＳシンボルのうちの少なくとも１つは、異なりうる。
【００９６】
[00109]ある態様では、トーンインデクシングコンポーネント１３０６は、アップリンクシグナリングコンポーネント１３１２からのアップリンクシグナリングがＰＲＡＣＨ中で送信されるべきである場合に、アップリンクシグナリングのトーン間隔を低減するように構成されうる。別の態様では、トーンインデクシングコンポーネント１３０６は、アップリンクシグナリングコンポーネント１３１２からのアップリンクシグナリングがＰＲＡＣＨ中で送信されるべきである場合に、アップリンクシグナリングについて各サブフレーム中で複数のシンボルの数を低減するように構成されうる。
【００９７】
[00110]ある態様では、トーンインデクシングコンポーネント１３０６は、アップリンクシグナリングコンポーネント１３１２からのアップリンクシグナリングがＰＲＡＣＨ中で送信されるべきである場合に、アップリンクシグナリングについてＵｐＰＴＳを決定するように構成されうる。別の態様では、トーンインデクシングコンポーネント１３０６は、アップリンクシグナリングコンポーネント１３１２からのアップリンクシグナリングがＰＲＡＣＨ中で送信されるべきである場合に、アップリンクシグナリングについてＵｐＰＴＳおよび少なくとも１つの後続のアップリンクサブフレームを決定するように構成されうる。
【００９８】
[00111]ある態様では、トーンインデクシングコンポーネント１３０６は、アップリンクシグナリングコンポーネント１３１２からのアップリンクシグナリングにコーディングスキームを適用するように構成されうる。ある態様では、コーディングスキームは、テイルバイティング畳み込みコード（ＴＢＣＣ）またはデュアルリードマラーコードのうちの少なくとも１つに基づきうる。
【００９９】
[00112]ある態様では、トーンインデクシングコンポーネント１３０６は、送信コンポーネント１３１０に複数のシンボルを有するシングルトーンアップリンク送信を提供するように構成されうる。
【０１００】
[00113]装置１３０２はさらに、フォーマットコンポーネント１３０８を含みうる。ある態様では、フォーマットコンポーネント１３０８は、受信コンポーネント１３０４を通じて、シングルトーンアップリンク送信中で複数のシンボルを送信するにあたって使用するためのフォーマットのインジケーションを受信するように構成されうる。ある態様では、フォーマットコンポーネント１３０８は、例えば、基地局１３５０から受信されるシグナリングに基づいて、サブフレーム持続時間、シンボル持続時間、または複数のシンボルに関連付けられたＣＰ長のうちの少なくとも１つを含むフォーマットを決定するように構成されうる。ある態様では、フォーマットは、ペイロードを伴わないプリアンブルベース、またはペイロードを伴うメッセージベースのいずれかでありうる。フォーマットコンポーネント１３０８は、送信コンポーネント１３１０にこのフォーマットを提供しうる。
【０１０１】
[00114]送信コンポーネント１３１０は、トーンインデクシングコンポーネント１３０６からのシングルトーンアップリンク送信中で複数のシンボルを送信するように構成されうる。トーンインデクシングコンポーネント１３０６によって提供されるシングルトーンアップリンク送信にしたがって、複数のシンボル中のシンボルのグループは、トーンインデクシングコンポーネント１３０６によって決定される異なるトーンインデックスを使用してシングルトーンアップリンク送信中で送信されうる。シングルトーンアップリンク送信の送信では、送信コンポーネント１３１０は、フォーマットコンポーネント１３０８によって提供されるフォーマットを使用するように構成されうる。
【０１０２】
[00115]装置１３０２は、図１１の前述されたフローチャート中のアルゴリズムのブロックの各々を遂行する追加のコンポーネントを含みうる。そのため、図１１の前述されたフローチャート中の各ブロックは、コンポーネントによって遂行され、装置は、それらのコンポーネントのうちの１つまたは複数を含みうる。コンポーネントは、記載されたプロセス／アルゴリズムを行うように特に構成された１つまたは複数のハードウェアコンポーネントでありうるか、記載されたプロセス／アルゴリズムを遂行するように構成されたプロセッサによってインプリメントされうるか、プロセッサによるインプリメンテーションのためにコンピュータ可読媒体内に記憶されうるか、またはそれらの何らかの組み合わせでありうる。
【０１０３】
[00116]図１４は、処理システム１４１４を用いる装置１３０２’のためのハードウェアインプリメンテーションの例を例示する図１４００である。処理システム１４１４は、概してバス１４２４によって表される、バスアーキテクチャを用いてインプリメントされうる。バス１４２４は、処理システム１４１４の特定のアプリケーションおよび全体的な設計制約に依存して、任意の数の相互接続バスおよびブリッジを含みうる。バス１４２４は、プロセッサ１４０４、コンポーネント１３０４、１３０６、１３０８、１３１０、１３１２、およびコンピュータ可読媒体／メモリ１４０６によって表される、１つまたは複数のプロセッサおよび／またはハードウェアコンポーネントを含む様々な回路をともにリンクする。バス１４２４はまた、タイミングソース、周辺機器、電圧レギュレータ、および電力管理回路のような様々な他の回路をリンクしうるが、それらは、当該技術において良く知られており、したがって、これ以上は説明されない。
【０１０４】
[00117]処理システム１４１４は、トランシーバ１４１０に結合されうる。トランシーバ１４１０は、１つまたは複数のアンテナ１４２０に結合される。トランシーバ１４１０は、送信媒体を通して様々な他の装置と通信するための手段を提供する。トランシーバ１４１０は、１つまたは複数のアンテナ１４２０から信号を受信し、受信された信号から情報を抽出し、抽出された情報を処理システム１４１４、具体的には受信コンポーネント１３０４に提供する。加えて、トランシーバ１４１０は、処理システム１４１４、具体的には送信コンポーネント１３１０から情報を受信し、受信された情報に基づいて、１つまたは複数のアンテナ１４２０に適用されることになる信号を生成する。処理システム１４１４は、コンピュータ可読媒体／メモリ１４０６に結合されたプロセッサ１４０４を含む。プロセッサ１４０４は、コンピュータ可読媒体／メモリ１４０６上に記憶されたソフトウェアの実行を含む一般の処理を担う。ソフトウェアは、プロセッサ１４０４によって実行されたとき、処理システム１４１４に、任意の特定の装置に関して上記に説明された様々な機能を遂行させる。コンピュータ可読媒体／メモリ１４０６はまた、ソフトウェアを実行するときにプロセッサ１４０４によって操作されるデータを記憶するために使用されうる。処理システム１４１４はさらに、コンポーネント１３０４、１３０６、１３０８、１３１０、１３１２のうちの少なくとも１つを含む。コンポーネントは、プロセッサ１４０４中で作動中であり、コンピュータ可読媒体／メモリ１４０６中に存在する／記憶されたソフトウェアコンポーネント、プロセッサ１４０４に結合された１つまたは複数のハードウェアコンポーネント、またはそれらの何らかの組み合わせでありうる。処理システム１４１４は、ＵＥ３５０のコンポーネントであり、メモリ３６０および／またはＴＸプロセッサ３６８、ＲＸプロセッサ３５６、およびコントローラ／プロセッサ３５９のうちの少なくとも１つを含みうる。
【０１０５】
[00118]一構成では、ワイヤレス通信のための装置１３０２／１３０２’は、異なるトーンインデックスを示すシグナリングを基地局から受信するための手段を含む。装置１３０２／１３０２’はさらに、シングルトーンアップリンク送信中で複数のシンボルを送信するための手段を含みうる。ある態様では、複数のシンボル中のシンボルのグループは、受信されたシグナリングによって示された異なるトーンインデックスを使用してシングルトーンアップリンク送信中で送信される。ある態様では、異なるトーンインデックスの各トーンインデックスは、異なる周波数に関連付けられる。ある態様では、複数のシンボルは、データシンボルまたはＲＳシンボルのうちの少なくとも１つを備える。
【０１０６】
[00119]ある態様では、シングルトーンアップリンク送信中で複数のシンボルを送信するための手段は、第１のトーンインデックスを使用して第１のシンボルペアの第１のシンボルを送信することと、第１のトーンインデックスとの固定周波数差である第２のトーンインデックスを使用して第１のシンボルペアの第２のシンボルを送信することとを行うように構成される。
【０１０７】
[00120]ある態様では、シングルトーンアップリンク送信中で複数のシンボルを送信するための手段は、第１のトーンインデックスを使用して第２のシンボルペアの第３のシンボルを送信することと、第１のトーンインデックスとの固定周波数差である第２のトーンインデックスを使用して第２のシンボルペアの第４のシンボルを送信することとを行うように構成される。ある態様では、シングルトーンアップリンク送信中で複数のシンボルを送信するための手段は、第２のトーンインデックスに対して非固定周波数差である第３のトーンインデックスを使用して第２のシンボルペアの第３のシンボルを送信することと、第３のトーンインデックスとの固定周波数差である第４のトーンインデックスを使用して第２のシンボルペアの第４のシンボルを送信することとを行うように構成される。ある態様では、受信されるシグナリングの異なるトーンインデックスは、周波数ホッピングパターンを示す。
【０１０８】
[00121]ある態様では、シングルトーンアップリンク送信中で複数のシンボルを送信するための手段は、異なるトーンインデックスを使用してサブフレーム中でデータシンボルの少なくとも１つのペアを送信することと、異なるトーンインデックスを使用してサブフレーム中でＲＳシンボルの少なくとも１つのペアを送信することとを行うように構成される。
【０１０９】
[00122]ある態様では、シングルトーンアップリンク送信がＰＵＳＣＨ中で送信される場合、複数のシンボルは、第１の数の基準信号（ＲＳ）シンボルを含む。ある態様では、シングルトーンアップリンク送信がＡＣＫを含む場合、複数のシンボルは、第２の数のＲＳシンボルを含む。ある態様では、シングルトーンアップリンク送信がＣＱＩを含む場合、複数のシンボルは、第３の数のＲＳシンボルを含む。ある態様では、第１の数のＲＳシンボル、第２の数のＲＳシンボル、および第３の数のＲＳシンボルは、同じであるか、または第１の数のＲＳシンボル、第２の数のＲＳシンボル、および第３の数のＲＳシンボルのうちの少なくとも１つは、異なる。
【０１１０】
[00123]ある態様では、シングルトーンアップリンク送信がＰＲＡＣＨ中で送信される場合、装置１３０２／１３０２’はさらに、トーン間隔を低減するための手段または各サブフレーム中で複数のシンボルの数を低減するための手段のうちの少なくとも１つを含む。
【０１１１】
[00124]ある態様では、装置１３０２／１３０２’はさらに、シングルトーンアップリンク送信中で複数のシンボルを送信するにあたって使用するためのフォーマットを示すシグナリングを基地局から受信するための手段を含む。ある態様では、フォーマットは、サブフレーム持続時間、シンボル持続時間、または複数のシンボルに関連付けられたＣＰ長のうちの少なくとも１つを含む。ある態様では、フォーマットは、ペイロードを伴わないプリアンブルベース、またはペイロードを伴うメッセージベースのいずれかである。
【０１１２】
[00125]ある態様では、シングルトーンアップリンク送信がＰＲＡＣＨ中で送信される場合、シングルトーンアップリンク送信中で複数のシンボルを送信するための手段は、ＵｐＰＴＳ中でシングルトーンアップリンク送信を送信するか、またはＵｐＰＴＳおよび少なくとも１つの後続のアップリンクサブフレーム中でシングルトーンアップリンク送信を送信するように構成される。ある態様では、シングルトーンアップリンク送信のコーディングスキームは、テイルバイティング畳み込みコード（ＴＢＣＣ）またはデュアルリードマラーコードのうちの少なくとも１つに基づく。
【０１１３】
[00126]前述された手段は、前述された手段によって記載された機能を遂行するように構成された装置１３０２’の処理システム１４１４および／または装置１３０２の前述されたコンポーネントのうちの１つまたは複数でありうる。上記に説明されたように、処理システム１４１４は、ＴＸプロセッサ３６８、ＲＸプロセッサ３５６、およびコントローラ／プロセッサ３５９を含みうる。そのため、一構成では、前述された手段は、前述された手段によって記載された機能を遂行するように構成されたＴＸプロセッサ３６８、ＲＸプロセッサ３５６、およびコントローラ／プロセッサ３５９でありうる。
【０１１４】
[00127]図１５は、例証的な装置１５０２中の異なる手段／コンポーネント間でのデータフローを例示する概念的なデータフロー図１５００である。装置１５０２は、基地局（例えば、ｅＮＢ）でありうる。装置１５０２は、ＵＥ１５５０に信号を送るように構成された受信コンポーネント１５０４を含む。装置１５０２はさらに、ＵＥ１５５０に信号を送るように構成された送信コンポーネント１５１０を含む。
【０１１５】
[00128]ある態様では、装置１５０２は、トーンインデクシングコンポーネント１５０６を含む。ある態様では、トーンインデクシングコンポーネント１５０６は、シングルトーンアップリンク送信中で複数の信号中を送信するにあたって使用するための異なるインデックスを示す情報を決定するように構成される。ある態様では、異なるトーンインデックスに関連付けられた情報は、周波数ホッピングパターンを示す。ある態様では、トーンインデクシングコンポーネント１５０６は、ＵＥ１５５０への送信のために、送信コンポーネント１５１０にこの情報を提供しうる。
【０１１６】
[00129]装置１５０２はさらに、フォーマットコンポーネント１５０８を含みうる。ある態様では、フォーマットコンポーネント１５０８は、シングルトーンアップリンク送信中で複数のシンボルを送信するにあたって使用するためのフォーマットを決定するように構成されうる。ある態様では、フォーマットコンポーネント１５０８は、サブフレーム持続時間、シンボル持続時間、または複数のシンボルに関連付けられたＣＰ長のうちの少なくとも１つを含むフォーマットを決定するように構成されうる。ある態様では、フォーマットコンポーネント１５０８は、フォーマットがペイロードを伴わないプリアンブルベース、またはペイロードを伴うメッセージベースのいずれかであると決定しうる。フォーマットコンポーネント１５０８は、送信コンポーネント１５１０にこのフォーマットを提供しうる。送信コンポーネント１５１０は、ＵＥ１５５０にこのフォーマットのインジケーションを送信しうる。
【０１１７】
[00130]受信コンポーネント１５０４は、例えば、異なるトーンインデックスに関連付けられた情報および／またはフォーマットのインジケーションに基づいて、ＵＥ１５５０からシングルトーンアップリンク送信を受信するように構成されうる。ある態様では、シングルトーンアップリンク送信は、複数のシンボルを含みえ、複数のシンボル中のシンボルのペアは、シングルトーンアップリンク送信の異なるトーンインデックス中で受信されうる。ある態様では、受信コンポーネント１５０４は、タイミングコンポーネント１５１２にこのシングルトーンアップリンク送信を提供しうる。
【０１１８】
[00131]タイミングコンポーネント１５１２は、シンボルのペアのインデックスのような、シンボルのペアに関連付けられた情報を決定するように構成されうる。ある態様では、タイミングコンポーネント１５１２は、複数のシンボルがＵＥ１５５０からのシンボルの第１のセットと別のＵＥからのシンボルの第２のセットとを含むと決定しうる。タイミングコンポーネント１５１２は、複数のシンボルがデータシンボルまたはＲＳシンボルのうちの少なくとも１つを含むと決定しうる。
【０１１９】
[00132]ある態様では、タイミングコンポーネント１５１２は、シングルトーンアップリンク送信中の複数のシンボルが第１のトーンインデックス中の第１のシンボルペアの第１のシンボルと、第１のトーンインデックスとの固定周波数差である第２のトーンインデックス中の第１のシンボルペアの第２のシンボルとを含むと決定しうる。
【０１２０】
[00133]ある態様では、タイミングコンポーネント１５１２は、シングルトーンアップリンク送信中の複数のシンボルが第１のトーンインデックス中の第２のシンボルペアの第３のシンボルと、第１のトーンインデックスとの固定周波数差である第２のトーンインデックス中の第２のシンボルペアの第４のシンボルとを含むと決定しうる。
【０１２１】
[00134]別の態様では、タイミングコンポーネント１５１２は、シングルトーンアップリンク送信中の複数のシンボルが第２のトーンインデックスに対して非固定周波数差である第３のトーンインデックス中で第２のシンボルペアの第３のシンボルを含むと決定しうる。タイミングコンポーネント１５１２はさらに、シングルトーンアップリンク送信中の複数のシンボルが第３のトーンインデックスに対して固定周波数差である第４のトーンインデックス中で第２のシンボルペアの第４のシンボルを含むと決定しうる。
【０１２２】
[00135]ある態様では、タイミングコンポーネント１５１２は、シングルトーンアップリンク送信中の複数のシンボルが異なるトーンインデックス中においてサブフレーム中でデータシンボルの少なくとも１つのペアを含むと決定しうる。タイミングコンポーネント１５１２はさらに、シングルトーンアップリンク送信中の複数のシンボルが異なるトーンインデックス中においてサブフレーム中でＲＳシンボルの少なくとも１つのペアを含むと決定しうる。
【０１２３】
[00136]ある態様では、タイミングコンポーネント１５１２は、複数のシンボルが、シングルトーンアップリンク送信がＰＵＳＣＨ中で受信されるときに第１の数のＲＳシンボルを含むと決定しうる。ある態様では、タイミングコンポーネント１５１２は、複数のシンボルが、シングルトーンアップリンク送信がＡＣＫを含むときに第２の数のＲＳシンボルを含むと決定しうる。ある態様では、タイミングコンポーネント１５１２は、複数のシンボルが、シングルトーンアップリンク送信がＣＱＩを含む場合に第３の数のＲＳシンボルを含むと決定しうる。ある態様では、第１、第２、および第３の数のＲＳシンボルは、同じでありうる。別の態様では、第１、第２、または第３の数のＲＳシンボルのうちの少なくとも１つは、異なる。
【０１２４】
[00137]ある態様では、タイミングコンポーネント１５１２は、シングルトーンアップリンク送信が、シングルトーンアップリンク送信がＰＲＡＣＨ中で受信されるときに、低減されたトーン間隔または各サブフレーム中の低減された数の複数のシンボルのうちの少なくとも１つを含むと決定するように構成されうる。
【０１２５】
[00138]ある態様では、タイミングコンポーネント１５１２は、シングルトーンアップリンク送信が、シングルトーンアップリンク送信がＰＲＡＣＨ中で受信されるときにＵｐＰＴＳおよび／または少なくとも１つの後続のアップリンクサブフレーム中で受信されると決定するように構成されうる。
【０１２６】
[00139]ある態様では、タイミングコンポーネント１５１２は、シングルトーンアップリンク送信のシンボルを復号するように構成されうる。例えば、タイミングコンポーネント１５１２は、ＴＢＣＣまたはデュアルリードマラーコードのうちの少なくとも１つに基づいてシングルトーンアップリンク送信のシンボルを復号するように構成されうる。
【０１２７】
[00140]ある態様では、タイミングコンポーネント１５１２は、シングルトーンアップリンク送信の複数のシンボル中のシンボルのペア間で異なる位相に基づいてタイミング推定値を決定するように構成されうる。タイミングコンポーネント１５１２は、ＵＥ１５５０との通信のために、送信コンポーネント１５１０にこのタイミング推定値を提供しうる。
【０１２８】
[00141]ある態様では、タイミングコンポーネント１５１２は、シングルトーンアップリンク送信のＣＲＣがパスする前に、複数のシンボル中のＲＳシンボルの位相差に基づいて、ＵＥ１５５０に関連付けられたタイミングオフセットを決定するように構成されうる。
【０１２９】
[00142]別の態様では、タイミングコンポーネント１５１２は、シングルトーンアップリンク送信のＣＲＣがパスした後で、データシンボルとＲＳシンボルとに基づいて、ＵＥ１５５０に関連付けられたタイミングオフセットを決定するように構成されうる。例えば、タイミングコンポーネント１５１２は、シングルトーンアップリンク送信のシンボル（例えば、データシンボル）を再符号化および／または再モジュール（re-module）しうる。タイミングコンポーネント１５１２は、再符号化および／または再変調されたシンボルに基づいてＵＥ１５５０に関連付けられたタイミングオフセットを決定しうる。
【０１３０】
[00143]装置は、図１２の前述されたフローチャート中のアルゴリズムのブロックの各々を遂行する追加のコンポーネントを含みうる。そのため、図１２の前述されたフローチャート中の各ブロックは、コンポーネントによって遂行され、装置は、それらのコンポーネントのうちの１つまたは複数を含みうる。コンポーネントは、記載されたプロセス／アルゴリズムを行うように特に構成された１つまたは複数のハードウェアコンポーネントでありうるか、記載されたプロセス／アルゴリズムを遂行するように構成されたプロセッサによってインプリメントされうるか、プロセッサによるインプリメンテーションのためにコンピュータ可読媒体内に記憶されうるか、またはそれらの何らかの組み合わせでありうる。
【０１３１】
[00144]図１６は、処理システム１６１４を用いる装置１５０２’のためのハードウェアインプリメンテーションの例を例示する図１６００である。処理システム１６１４は、概してバス１６２４によって表される、バスアーキテクチャを用いてインプリメントされうる。バス１６２４は、処理システム１６１４の特定のアプリケーションおよび全体的な設計制約に依存して、任意の数の相互接続バスおよびブリッジを含みうる。バス１６２４は、プロセッサ１６０４、コンポーネント１５０４、１５０６、１５０８、１５１０、１５１２、およびコンピュータ可読媒体／メモリ１６０６によって表される、１つまたは複数のプロセッサおよび／またはハードウェアコンポーネントを含む様々な回路をともにリンクする。バス１６２４はまた、タイミングソース、周辺機器、電圧レギュレータ、および電力管理回路のような様々な他の回路をリンクしうるが、それらは、当該技術において良く知られており、したがって、これ以上は説明されない。
【０１３２】
[00145]処理システム１６１４は、トランシーバ１６１０に結合されうる。トランシーバ１６１０は、１つまたは複数のアンテナ１６２０に結合される。トランシーバ１６１０は、送信媒体を通して様々な他の装置と通信するための手段を提供する。トランシーバ１６１０は、１つまたは複数のアンテナ１６２０から信号を受信し、受信された信号から情報を抽出し、抽出された情報を処理システム１６１４、具体的には受信コンポーネント１５０４に提供する。加えて、トランシーバ１６１０は、処理システム１６１４、具体的には送信コンポーネント１５１０から情報を受信し、受信された情報に基づいて、１つまたは複数のアンテナ１６２０に適用されることになる信号を生成する。処理システム１６１４は、コンピュータ可読媒体／メモリ１６０６に結合されたプロセッサ１６０４を含む。プロセッサ１６０４は、コンピュータ可読媒体／メモリ１６０６上に記憶されたソフトウェアの実行を含む一般の処理を担う。ソフトウェアは、プロセッサ１６０４によって実行されたとき、処理システム１６１４に、任意の特定の装置に関して上記に説明された様々な機能を遂行させる。コンピュータ可読媒体／メモリ１６０６はまた、ソフトウェアを実行するときにプロセッサ１６０４によって操作されるデータを記憶するために使用されうる。処理システム１６１４はさらに、コンポーネント１５０４、１５０６、１５０８、１５１０、１５１２のうちの少なくとも１つを含む。コンポーネントは、プロセッサ１６０４中で作動中であり、コンピュータ可読媒体／メモリ１６０６中に存在する／記憶されたソフトウェアコンポーネント、プロセッサ１６０４に結合された１つまたは複数のハードウェアコンポーネント、またはそれらの何らかの組み合わせでありうる。処理システム１６１４は、ｅＮＢ３１０のコンポーネントであり、メモリ３７６および／またはＴＸプロセッサ３１６、ＲＸプロセッサ３７０、およびコントローラ／プロセッサ３７５のうちの少なくとも１つを含みうる。
【０１３３】
[00146]一構成では、ワイヤレス通信のための装置１５０２／１５０２’は、少なくとも１つのＵＥに、シングルトーンアップリンク送信中で複数のシンボルを送信するにあたって使用するための異なるトーンインデックスを示す情報をシグナリングするための手段を含む。装置１５０２／１５０２’はさらに、シングルトーンアップリンク送信中で複数のシンボルを受信するための手段を含みうる。ある態様では、複数のシンボル中のシンボルのペアは、シングルトーンアップリンク送信の異なるトーンインデックス中においてシングルトーンアップリンク送信中で受信される。ある態様では、異なるトーンインデックスの各トーンインデックスは、異なる周波数に関連付けられる。ある態様では、複数のシンボルは、第１のＵＥからのシンボルの第１のセットと第２のＵＥからのシンボルの第２のセットとを含み、複数のシンボルは、データシンボルまたはＲＳシンボルのうちの少なくとも１つを備える。
【０１３４】
[00147]ある態様では、シングルトーンアップリンク送信中で複数のシンボルを受信するための手段は、第１のトーンインデックス中で第１のシンボルペアの第１のシンボルを受信することと、第１のトーンインデックスとの固定周波数差である第２のトーンインデックス中で第１のシンボルペアの第２のシンボルを受信することとを行うように構成される。ある態様では、シングルトーンアップリンク送信中で複数のシンボルを受信するための手段は、第１のトーンインデックス中で第２のシンボルペアの第３のシンボルを受信することと、第１のトーンインデックスとの固定周波数差である第２のトーンインデックス中で第２のシンボルペアの第４のシンボルを受信することとを行うように構成される。ある態様では、ある態様では、シングルトーンアップリンク送信中で複数のシンボルを受信するための手段は、第２のトーンインデックスに対して非固定周波数差である第３のトーンインデックス中で第２のシンボルペアの第３のシンボルを受信することと、第３のトーンインデックスに対して固定周波数差である第４のトーンインデックス中で第２のシンボルペアの第４のシンボルを送信することとを行うように構成される。
【０１３５】
[00148]ある態様では、異なるトーンインデックスに関連付けられた情報は、周波数ホッピングパターンを示す。ある態様では、シングルトーンアップリンク送信中で複数のシンボルを受信するための手段は、異なるトーンインデックス中においてサブフレーム中でデータシンボルの少なくとも１つのペアを受信することと、異なるトーンインデックス中においてサブフレーム中でＲＳシンボルの少なくとも１つのペアを受信することとを行うように構成される。
【０１３６】
[00149]ある態様では、シングルトーンアップリンク送信がＰＵＳＣＨ中で受信される場合、複数のシンボルは、第１の数のＲＳシンボルを含む。ある態様では、シングルトーンアップリンク送信がＡＣＫを含む場合、複数のシンボルは、第２の数のＲＳシンボルを含む。ある態様では、シングルトーンアップリンク送信がＣＱＩを含む場合、複数のシンボルは、第３の数の基準信号（ＲＳ）シンボルを含む。ある態様では、第１の数のＲＳシンボル、第２の数のＲＳシンボル、および第３の数のＲＳシンボルは、同じであるか、または第１の数のＲＳシンボル、第２の数のＲＳシンボル、および第３の数のＲＳシンボルのうちの少なくとも１つは、異なる。ある態様では、シングルトーンアップリンク送信がＰＲＡＣＨ中で受信される場合、シングルトーンアップリンク送信は、低減されたトーン間隔または各サブフレーム中の低減された数の複数のシンボルのうちの少なくとも１つを含む。
【０１３７】
[00150]ある態様では、装置１５０２／１５０２’はさらに、シンボルのペア間での位相差に基づいてタイミング推定値を決定するための手段を含みうる。ある態様では、装置１５０２／１５０２’はさらに、シングルトーンアップリンク送信の巡回冗長検査（ＣＲＣ）がパスする前に、複数のシンボル中のＲＳシンボルの位相差に基づいて、少なくとも１つのＵＥに関連付けられたタイミングオフセットを決定するための手段を含みうる。ある態様では、装置１５０２／１５０２’はさらに、データシンボルを再符号化および再変調することによってシングルトーンアップリンク送信のＣＲＣがパスした後で、データシンボルとＲＳシンボルとに基づいて、少なくとも１つのＵＥのタイミングオフセットを決定するための手段を含みうる。
【０１３８】
[00151]ある態様では、装置１５０２／１５０２’はさらに、少なくとも１つのＵＥに、シングルトーンアップリンク送信中で複数のシンボルを送信するにあたって使用するためのフォーマットに関連付けられた情報をシグナリングするための手段を含みうる。ある態様では、フォーマットは、サブフレーム持続時間、シンボル持続時間、または複数のシンボルに関連付けられたＣＰ長のうちの少なくとも１つを含む。ある態様では、フォーマットは、ペイロードを伴わないプリアンブルベース、またはペイロードを伴うメッセージベースのいずれかである。
【０１３９】
[00152]ある態様では、シングルトーンアップリンク送信がＰＲＡＣＨ中で受信される場合、シングルトーンアップリンク送信中で複数のシンボルを受信するための手段は、ＵｐＰＴＳ中でシングルトーンアップリンク送信を受信するように構成されうる、および／またはＵｐＰＴＳおよび少なくとも１つの後続のアップリンクサブフレーム中でシングルトーンアップリンク送信を受信するように構成されうる。ある態様では、シングルトーンアップリンク送信のコーディングスキームは、テイルバイティング畳み込みコード（ＴＢＣＣ）またはデュアルリードマラーコードのうちの少なくとも１つに基づく。
【０１４０】
[00153]前述された手段は、前述された手段によって記載された機能を遂行するように構成された装置１５０２’の処理システム１６１４および／または装置１５０２の前述されたコンポーネントのうちの１つまたは複数でありうる。上記に説明されたように、処理システム１６１４は、ＴＸプロセッサ３１６、ＲＸプロセッサ３７０、およびコントローラ／プロセッサ３７５を含みうる。そのため、一構成では、前述された手段は、前述された手段によって記載された機能を遂行するように構成されたＴＸプロセッサ３１６、ＲＸプロセッサ３７０、およびコントローラ／プロセッサ３７５でありうる。
【０１４１】
[00154]開示されたプロセス／フローチャート中のブロックの特定の順序または階層は例証的なアプローチの例示であるということが理解される。設計の選好に基づいて、プロセス／フローチャート中のブロックの特定の順序または階層は再配列されうるということが理解される。さらに、いくつかのブロックは、組み合わされうるか、または省略されうる。添付の方法の請求項は、サンプルの順序で様々なブロックの要素を提示しており、提示された特定の順序または階層に限定されることを意図されてはいない。
【０１４２】
[00155]先の説明は、いかなる当業者であっても、ここに説明された様々な態様を実施することを可能にするために提供される。これらの態様への様々な修正は、当業者にとって容易に明らかとなり、ここに定義された包括的な原理は、他の態様に適用されうる。このことから、特許請求の範囲は、ここに示された態様に限定されることを意図されてはいないが、特許請求の範囲の文言と一致する全範囲を付与されるべきであり、ここにおいて、単数形での要素への言及は、そうであると具体的に記載されない限り、「１つおよび１つのみ」を意味することを意図されてはおらず、むしろ「１つまたは複数」を意味する。「例証的（exemplary）」という用語は、ここでは、「例、事例、または例示としての役割を果たすこと」を意味するように使用される。「例証的」であるとしてここに説明されたいずれの態様も、他の態様より好ましいまたは有利であるとして必ずしも解釈されるべきではない。そうでないと具体的に記載されない限り、「何らかの／いくつかの／いくらかの（some）」という用語は、１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」および「Ａ、Ｂ、Ｃ、またはそれらの任意の組み合わせ」のような組み合わせは、Ａ、Ｂ、および／またはＣの任意の組み合わせを含み、複数のＡ、複数のＢ、または複数のＣを含みうる。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」および「Ａ、Ｂ、Ｃ、またはそれらの任意の組み合わせ」のような組み合わせは、Ａのみ、Ｂのみ、Ｃのみ、ＡとＢ、ＡとＣ、ＢとＣ、またはＡとＢとＣでありえ、ここで、任意のそのような組み合わせは、Ａ、Ｂ、またはＣの１つまた複数のメンバを包含しうる。当業者に知られているか、または後に知られることとなる、この開示全体を通じて説明された様々な態様の要素と構造的および機能的に同等な物は全て、参照によってここに明確に組み込まれ、特許請求の範囲によって包含されることを意図される。その上、ここに開示されたものはいずれも、そのような開示が特許請求の範囲中に明示的に記載されているかどうかにかかわらず、公に献呈されることを意図されてはいない。「モジュール」、「メカニズム」、「要素」、「デバイス」、等の用語は、「手段」という用語の代用ではないことがありうる。そのため、要素が「〜のための手段」というフレーズを使用して明確に記載されていない限り、どの請求項の要素もミーンズプラスファンクションとして解釈されるべきではない。
【図１】
2018538766.tif 000004
【図２Ａ】
2018538766.tif 000005
【図２Ｂ】
2018538766.tif 000006
【図２Ｃ】
2018538766.tif 000007
【図２Ｄ】
2018538766.tif 000008
【図３】
2018538766.tif 000009
【図４】
2018538766.tif 000010
【図５】
2018538766.tif 000011
【図６】
2018538766.tif 000012
【図７】
2018538766.tif 000013
【図８】
2018538766.tif 000014
【図９】
2018538766.tif 000015
【図１０】
2018538766.tif 000016
【図１１】
2018538766.tif 000017
【図１２】
2018538766.tif 000018
【図１３】
2018538766.tif 000019
【図１４】
2018538766.tif 000020
【図１５】
2018538766.tif 000021
【図１６】
2018538766.tif 000022
【国際調査報告】
2018538766.tif 000023
2018538766.tif 000024
2018538766.tif 000025